(57)【要約】  本発明は、冷蔵庫の節電効果を向上することのできる冷蔵庫、冷蔵庫管理システムおよび冷蔵庫制御方法を提供することを目的とする。  本発明の冷蔵庫は、貯蔵室を有する本体と、圧縮機と冷却器とを有する冷凍サイクル装置と、冷却器によって冷却された冷却空気を貯蔵室に送風する送風装置と、貯蔵室に吹出される冷却空気の吹出風量を制御する吹出風量制御装置と、使用者のスケジュールに関する情報であるスケジュール情報が入力される入力手段と、入力手段に入力されたスケジュール情報を記憶する記憶手段と、スケジュール情報に基づき、圧縮機、送風装置および吹出風量制御装置の少なくとも一つを制御する制御手段と、を備える。
2015063855.tif 000002
【特許請求の範囲】
【請求項１】
貯蔵室を有する本体と、
圧縮機と冷却器とを有する冷凍サイクル装置と、
前記冷却器によって冷却された冷却空気を前記貯蔵室に送風する送風装置と、
前記貯蔵室に吹出される前記冷却空気の吹出風量を制御する吹出風量制御装置と、
使用者のスケジュールに関する情報であるスケジュール情報が入力される入力手段と、
前記入力手段に入力された前記スケジュール情報を記憶する記憶手段と、
前記スケジュール情報に基づき、前記圧縮機、前記送風装置および前記吹出風量制御装置の少なくとも一つを制御する制御手段と、
を備える冷蔵庫。
【請求項２】
前記スケジュール情報は、使用者の外出の予定に関する情報、使用者の生活パターンに関する情報、および、使用者が飲食物を購入する予定に関する情報の少なくとも一つを含む請求項１に記載の冷蔵庫。
【請求項３】
前記貯蔵室の扉の開閉を検出する手段を備え、
前記スケジュール情報は、使用者の定期的な外出の予定の時間帯である定期外出時間帯に関する情報と、使用者の睡眠の予定の時間帯である睡眠時間帯に関する情報との一方または両方を含み、
前記制御手段は、前記定期外出時間帯と前記睡眠時間帯との一方または両方において、前記扉の閉状態の持続時間が予め設定された時間に達した場合に、前記貯蔵室の冷却を通常運転時に比べて抑制するように前記圧縮機、前記送風装置および前記吹出風量制御装置の少なくとも一つを制御する請求項１または請求項２に記載の冷蔵庫。
【請求項４】
前記貯蔵室の扉の開閉を検出する手段を備え、
前記スケジュール情報は、使用者の不定期な外出の予定の時間帯である不定期外出時間帯に関する情報を含み、
前記制御手段は、前記不定期外出時間帯において、前記貯蔵室の冷却を通常運転時に比べて促進するように前記圧縮機、前記送風装置および前記吹出風量制御装置の少なくとも一つを制御する冷却促進制御を行い、前記冷却促進制御により前記貯蔵室の室内温度が予め設定された温度まで低下した時点からの、前記扉の閉状態の持続時間が予め設定された時間に達した場合に、前記貯蔵室の冷却を前記通常運転時に比べて抑制するように前記圧縮機、前記送風装置および前記吹出風量制御装置の少なくとも一つを制御する請求項１または請求項２に記載の冷蔵庫。
【請求項５】
前記貯蔵室の扉の開閉を検出する手段を備え、
前記スケジュール情報は、使用者の不定期な外出の予定の時間帯である不定期外出時間帯に関する情報を含み、
前記制御手段は、前記不定期外出時間帯において、前記貯蔵室の冷却を通常運転時に比べて促進するように前記圧縮機、前記送風装置および前記吹出風量制御装置の少なくとも一つを制御する冷却促進制御を行い、前記冷却促進制御の開始時点からの、前記扉の閉状態の持続時間が予め設定された時間に達した場合に、前記貯蔵室の冷却を前記通常運転時に比べて抑制するように前記圧縮機、前記送風装置および前記吹出風量制御装置の少なくとも一つを制御する請求項１または請求項２に記載の冷蔵庫。
【請求項６】
前記貯蔵室の冷却負荷を推定する冷却負荷推定手段と、
前記本体に設けられ、前記貯蔵室と異なる他の貯蔵室と、
前記他の貯蔵室の冷却量を可変にする他貯蔵室冷却量可変手段と、
を備え、
前記制御手段は、通常運転時に比べて冷却を抑制する制御を前記スケジュール情報に基づいて行うときに、前記冷却負荷推定手段により推定された冷却負荷が予め設定された判定値に比べて小さい場合には前記貯蔵室の冷却を前記通常運転時に比べて抑制するように前記圧縮機、前記送風装置および前記吹出風量制御装置の少なくとも一つを制御し、前記冷却負荷推定手段により推定された冷却負荷が前記判定値に比べて大きい場合には前記他の貯蔵室の冷却を前記通常運転時に比べて抑制するように前記他貯蔵室冷却量可変手段を制御する請求項１から請求項５のいずれか一項に記載の冷蔵庫。
【請求項７】
前記貯蔵室の冷却負荷を推定する冷却負荷推定手段を備え、
前記制御手段は、前記スケジュール情報に基づいて前記貯蔵室の冷却を通常運転時に比べて抑制するように前記圧縮機、前記送風装置および前記吹出風量制御装置の少なくとも一つを制御するときに、前記冷却負荷推定手段により推定された冷却負荷が予め設定された判定値に比べて小さい場合には、前記冷却負荷推定手段により推定された冷却負荷が前記判定値に比べて大きい場合に比べて、前記貯蔵室の冷却をさらに抑制する高抑制制御を行う請求項１から請求項５のいずれか一項に記載の冷蔵庫。
【請求項８】
前記冷却負荷推定手段は、前記貯蔵室の室内温度に関する情報、前記貯蔵室に収納された物品の体積に関する情報、および、前記貯蔵室の扉の開閉に関する情報のうちの少なくとも一つに基づいて前記貯蔵室の冷却負荷を推定する請求項６または請求項７に記載の冷蔵庫。
【請求項９】
情報を表示する表示手段を備え、
前記表示手段は、前記スケジュール情報、前記冷凍サイクル装置の負荷情報、前記貯蔵室の設定温度、前記冷蔵庫の節電情報、および、前記貯蔵室の冷却負荷の情報の少なくとも一つの情報を表示する請求項６から請求項８のいずれか一項に記載の冷蔵庫。
【請求項１０】
前記制御手段は、前記貯蔵室の室内温度に関する情報の履歴、前記貯蔵室に収納された物品の体積に関する情報の履歴、および、前記貯蔵室の扉の開閉に関する情報の履歴のうちの少なくとも一つに基づいて、前記記憶手段に記憶された前記スケジュール情報を更新する請求項１から請求項９のいずれか一項に記載の冷蔵庫。
【請求項１１】
前記入力手段と、前記冷蔵庫の前記本体とが別体として設けられた請求項１から請求項１０のいずれか一項に記載の冷蔵庫と、
前記入力手段に入力された前記スケジュール情報を無線通信で前記冷蔵庫の前記記憶手段へ送信する手段と、
を備える冷蔵庫管理システム。
【請求項１２】
請求項１から請求項１０のいずれか一項に記載の冷蔵庫と、
前記冷蔵庫が設置される住宅で用いられる電気機器の消費電力の情報を前記冷蔵庫の前記制御手段へ送信する手段と、
を備え、
前記制御手段は、前記消費電力の値が予め設定された値より高い場合には、前記貯蔵室の冷却を抑制するように前記圧縮機、前記送風装置および前記吹出風量制御装置の少なくとも一つを制御する冷蔵庫管理システム。
【請求項１３】
前記制御手段は、前記消費電力の情報に基づいて将来の消費電力を予測し、その予測された消費電力の値が予め設定された値より高い時間帯では前記貯蔵室の冷却を抑制するように前記圧縮機、前記送風装置および前記吹出風量制御装置の少なくとも一つを制御する請求項１２に記載の冷蔵庫管理システム。
【請求項１４】
前記冷蔵庫の前記本体とは別体として設けられ、情報を表示する表示手段と、
前記消費電力の情報を前記制御手段から前記表示手段へ有線または無線の通信で送信する手段と、
を備え、
前記表示手段は、前記消費電力の情報を表示する請求項１２または請求項１３のいずれかに記載の冷蔵庫管理システム。
【請求項１５】
貯蔵室を有する本体と、圧縮機と冷却器とを有する冷凍サイクル装置と、前記冷却器によって冷却された冷却空気を前記貯蔵室に送風する送風装置と、前記貯蔵室に吹出される前記冷却空気の吹出風量を制御する吹出風量制御装置と、使用者のスケジュール情報が入力される入力手段とを備える冷蔵庫を制御する方法であって、
前記入力手段に使用者のスケジュール情報が入力されるステップと、
前記入力手段に入力された前記スケジュール情報を記憶するステップと、
前記スケジュール情報に基づき前記圧縮機、前記送風装置および前記吹出風量制御装置の少なくとも一つを制御するステップと、
を含む冷蔵庫制御方法。
【発明の詳細な説明】
【技術分野】
【０００１】
本発明は、冷蔵庫、冷蔵庫管理システムおよび冷蔵庫制御方法に関する。
【背景技術】
【０００２】
下記特許文献１には、冷凍室を急速冷凍する急速冷凍モードを設定することができる冷蔵庫において、予め設定された所定の時間帯を検知したときに、冷蔵庫の外側周囲の外室温が所定の温度以上である場合には、急速冷凍モードを禁止する技術が開示されている。下記特許文献１の発明は、電力使用量がピークとなる時間帯での節電を目的としたものである。
【先行技術文献】
【特許文献】
【０００３】
【特許文献１】日本特開２０１３−１７０７５９号公報（段落０００５，０００６、図２）
【発明の概要】
【発明が解決しようとする課題】
【０００４】
特許文献１に記載の冷蔵庫では、電力使用量がピークとなる時間帯にしか節電運転を行わないために、冷蔵庫の節電量はあまり得られず、節電効果が少ないという課題がある。【０００５】
本発明は、上述のような課題を解決するためになされたもので、冷蔵庫の節電効果を向上することのできる冷蔵庫、冷蔵庫管理システムおよび冷蔵庫制御方法を提供することを目的とする。
【課題を解決するための手段】
【０００６】
本発明の冷蔵庫は、貯蔵室を有する本体と、圧縮機と冷却器とを有する冷凍サイクル装置と、冷却器によって冷却された冷却空気を貯蔵室に送風する送風装置と、貯蔵室に吹出される冷却空気の吹出風量を制御する吹出風量制御装置と、使用者のスケジュールに関する情報であるスケジュール情報が入力される入力手段と、入力手段に入力されたスケジュール情報を記憶する記憶手段と、スケジュール情報に基づき、圧縮機、送風装置および吹出風量制御装置の少なくとも一つを制御する制御手段と、を備えるものである。
本発明の冷蔵庫制御方法は、貯蔵室を有する本体と、圧縮機と冷却器とを有する冷凍サイクル装置と、冷却器によって冷却された冷却空気を貯蔵室に送風する送風装置と、貯蔵室に吹出される冷却空気の吹出風量を制御する吹出風量制御装置と、使用者のスケジュール情報が入力される入力手段とを備える冷蔵庫を制御する方法であって、入力手段に使用者のスケジュール情報が入力されるステップと、入力手段に入力されたスケジュール情報を記憶するステップと、スケジュール情報に基づき圧縮機、送風装置および吹出風量制御装置の少なくとも一つを制御するステップと、を含むものである。
【発明の効果】
【０００７】
本発明によれば、冷蔵庫の圧縮機、送風装置および吹出風量制御装置の少なくとも一つを使用者のスケジュールに合わせて適切に制御することができ、冷蔵庫の節電効果を向上することが可能となる。
【図面の簡単な説明】
【０００８】
【図１】本発明の実施の形態１の冷蔵庫の外観を示す正面図である。
【図２】本発明の実施の形態１の冷蔵庫の側面断面図である。
【図３】本発明の実施の形態１の冷蔵庫の機能ブロック図である。
【図４】本発明の実施の形態１の冷蔵庫において使用者のスケジュール情報を表示する表示手段の表示画面（月表示）の一例を示す図である。
【図５】本発明の実施の形態１の冷蔵庫において使用者のスケジュール情報を表示する表示手段の表示画面（週表示）の一例を示す図である。
【図６】本発明の実施の形態１の冷蔵庫において使用者のスケジュール情報を表示する表示手段の表示画面（日表示）の一例を示す図である。
【図７】本発明の実施の形態１の冷蔵庫の制御を示すフローチャートである。
【図８】本発明の実施の形態１の冷蔵庫の変形例１の制御を示すフローチャートである。
【図９】本発明の実施の形態１の冷蔵庫の変形例２の制御を示すフローチャートである。
【図１０】本発明の実施の形態２の冷蔵庫の側面断面図である。
【図１１】本発明の実施の形態２の冷蔵庫の機能ブロック図である。
【図１２】本発明の実施の形態２の冷蔵庫の冷蔵室内の温度の履歴および冷蔵室の内外差圧の履歴を示す実測データの一例である。
【図１３】本発明の実施の形態２の冷蔵庫の冷蔵室内の温度の履歴および冷蔵室の内外差圧の履歴を示す実測データの一例である。
【図１４】本発明の実施の形態２の冷蔵庫の冷蔵室内の温度の履歴および冷蔵室の内外差圧の履歴を示す実測データの一例である。
【図１５】本発明の実施の形態２の冷蔵庫の冷蔵室内の温度の履歴および冷蔵室の内外差圧の履歴を示す実測データの一例である。
【図１６】本発明の実施の形態２の冷蔵庫の冷蔵室内の温度の履歴および冷蔵室の内外差圧の履歴を示す実測データの一例である。
【図１７】本発明の実施の形態２の冷蔵庫の冷蔵室内の温度の履歴および冷蔵室の内外差圧の履歴を示す実測データの一例である。
【図１８】本発明の実施の形態２の冷蔵庫の制御を示すフローチャートである。
【図１９】本発明の実施の形態２の冷蔵庫の変形例の制御を示すフローチャートである。
【図２０】本発明の実施の形態３の宅内システム（冷蔵庫管理システム）の構成図である。
【図２１】本発明の実施の形態３の冷蔵庫および宅内コントローラの機能ブロック図である。
【図２２】本発明の実施の形態３の宅内システムにおける各家電機器の消費電力レベルを示す履歴データの一例である。
【図２３】本発明の実施の形態３の宅内システムにおける各家電機器の消費電力レベルを示す履歴データの一例である。
【図２４】本発明の実施の形態３の宅内システムにおける各家電機器の消費電力レベルを示す履歴データの一例である。
【図２５】本発明の実施の形態３の宅内システムが備える冷蔵庫の制御を示すフローチャートである。
【図２６】本発明の実施の形態３の宅内システムが備える冷蔵庫の制御を示すフローチャートである。
【発明を実施するための形態】
【０００９】
以下、図面を参照して本発明の実施の形態について説明する。なお、各図において共通する要素には、同一の符号を付して、重複する説明を省略する。また、本発明は、以降に示す各実施の形態のあらゆる組み合わせを含むものとする。
【００１０】
実施の形態１．
図１は、本発明の実施の形態１の冷蔵庫の外観を示す正面図である。図２は、本発明の実施の形態１の冷蔵庫の側面断面図であり、図１中のＡ−Ａ線断面図である。図１および図２に示すように、本実施の形態１の冷蔵庫１０００の本体すなわち筐体は、複数の貯蔵室である冷蔵室１００、製氷室２００、切替室３００、冷凍室４００および野菜室５００を有する。一番上に冷蔵室１００が配置され、その下に製氷室２００および切替室３００が配置され、その下に冷凍室４００が配置され、その下に野菜室５００が配置されている。冷蔵室１００、製氷室２００、切替室３００、冷凍室４００および野菜室５００には、各々の前面開口部を開閉する扉が個別に設けられている。冷蔵室１００の扉は観音開きになっている。製氷室２００、切替室３００、冷凍室４００および野菜室５００は、当該室の個別の扉とともに、冷蔵庫１０００の手前側に引き出し得るように形成されている。
【００１１】
図２に示すように、冷蔵室１００の内部の最下段にチルド室１１０が設けられている。チルド室１１０は、チルドケース１１１により構成される。チルドケース１１１は、レール等の案内具（図示省略）により、冷蔵室１００の扉の方へ引き出し得るように形成されている。
【００１２】
冷蔵庫１０００の本体には、各貯蔵室へ供給する空気を冷却する冷凍サイクル回路が設置されている。また、冷蔵庫１０００の本体の内部には、この冷凍サイクル回路によって冷却された冷却空気を各貯蔵室へ供給するための風路が形成されている。
【００１３】
冷凍サイクル回路は、圧縮機１００１、圧縮機１００１から吐出された冷媒を凝縮させる凝縮器（図示省略）、凝縮器から流出した冷媒を膨張させる絞り装置（図示省略）、および、絞り装置で膨張した冷媒によって各貯蔵室へ供給する空気を冷却する冷却器（蒸発器）１００２等を有する。この冷凍サイクル回路は、一般的に知られている周知の冷凍サイクル回路でも良い。
【００１４】
本実施の形態１では、圧縮機１００１は、冷蔵庫１０００の本体の背面側の下部に配置されている。冷却器１００２は、後述する冷却風路１０１０に設けられている。また、冷却風路１０１０には、冷却器１００２で冷却された冷却空気を各貯蔵室へ送るための送風装置１００３が設けられている。換言すると、送風装置１００３は、冷蔵庫１０００の本体の内部で冷却空気を循環させるものである。
【００１５】
この冷凍サイクル回路によって冷却された冷却空気を各貯蔵室へ供給するための風路は、冷却風路１０１０、戻り風路１０２０、冷蔵室戻り風路１０１、および野菜室戻り風路５０１等から構成されている。本実施の形態１では、冷却風路１０１０は、冷蔵庫１０００の本体の背面部に形成されている。冷却風路１０１０は、冷却器１００２にて冷却された冷却空気を各貯蔵室に送る通風路である。冷蔵庫１０００は、各貯蔵室への冷却空気の流入量すなわち吹出風量を制御する吹出風量制御装置を有する。本実施の形態１では、冷蔵室１００への冷却空気の吹出風量を制御する吹出風量制御装置としての冷蔵室ダンパ１０２が冷却風路１０１０内に設けられている。冷蔵室ダンパ１０２の開率を小さくすると冷蔵室１００への冷却空気の吹出風量が低下し、冷蔵室ダンパ１０２の開率を大きくすると冷蔵室１００への冷却空気の吹出風量が増加する。図２では、吹出風量制御装置として冷蔵室ダンパ１０２のみを示すが、冷蔵庫１０００は、冷蔵室１００以外の各貯蔵室への冷却空気の吹出風量を制御する例えばダンパ等の吹出風量制御装置（図示省略）を更に備える。
【００１６】
戻り風路１０２０は、各貯蔵室を冷却した冷却空気を冷却器１００２へ送る通風路である。冷蔵室戻り風路１０１は、冷蔵室１００およびチルド室１１０を冷却した冷却空気を野菜室５００へ送る通風路である。冷蔵室１００およびチルド室１１０を冷却した冷却空気は、野菜室５００を冷却した冷却空気と野菜室戻り風路５０１にて混合され、冷却器１００２へ送風される。
【００１７】
冷蔵庫１０００には、冷蔵室１００の扉の開閉を検出する扉開閉検出手段８が設けられている。後述する制御装置１００４は、扉開閉検出手段８により冷蔵室１００の扉の開閉を検出し、この扉が開いたままになっている状態が予め設定された制限時間以上持続した場合に、扉が開いたままであることを使用者に報知するように制御しても良い。この制限時間は、例えば１分としても良いし、１分超でも良いし、１分未満でも良い。この制限時間を使用者が任意に設定できるものとしても良い。また、扉開閉検出手段８は、冷蔵室１００以外の他の貯蔵室の扉の開閉を検出するように設けられていても良い。また、冷蔵庫１０００は、冷蔵庫１０００のすべての貯蔵室に対して扉開閉検出手段８を備えていても良い。
【００１８】
冷蔵庫１０００は、操作パネル１を有する。図２では、冷蔵室１００の扉に操作パネル１が設置されている。後述するように、操作パネル１は入力手段９および表示手段１０を有する。操作パネル１の設置位置は、冷蔵室１００の扉に限るものではない。操作パネル１は、他の貯蔵室の扉に設置されていても良いし、冷蔵庫１０００の本体の側面に設置されても良い。また、操作パネル１の入力手段９および表示手段１０の両方または一方が冷蔵庫１０００の本体に対して別体として設けられても良い。その場合、操作パネル１の入力手段９および表示手段１０の両方または一方が冷蔵庫１０００の本体に対して着脱自在になっていても良いし、操作パネル１の入力手段９および表示手段１０の両方または一方が冷蔵庫１０００の本体に装着できない構造でも良い。操作パネル１の入力手段９および表示手段１０の両方または一方が冷蔵庫１０００の本体に対して別体として設けられた場合には、操作パネル１の入力手段９および表示手段１０の両方または一方は、制御装置１００４と有線または無線によって通信を行う。
【００１９】
冷蔵庫１０００の本体の背面には、制御装置１００４が設置されている。制御装置１００４は、予め記憶されたプログラムに基づき、圧縮機１００１の動作、送風装置１００３の動作、および、冷蔵室ダンパ１０２を含む各貯蔵室の吹出風量制御装置の動作を制御する。以下の説明では、冷蔵室ダンパ１０２を含む各貯蔵室の吹出風量制御装置を総称するときおよび冷蔵室１００以外の吹出風量制御装置を指すときは「吹出風量制御装置」または「ダンパ」と称する。また、冷蔵室１００の吹出風量制御装置すなわち冷蔵室ダンパ１０２のみを指すときは「冷蔵室ダンパ１０２」と称する。
【００２０】
図３は、本発明の実施の形態１の冷蔵庫１０００の機能ブロック図である。図３に示すように、操作パネル１は、使用者の情報入力操作を受け付ける入力手段９と、情報を表示する表示手段１０とを有する。使用者は、各貯蔵室の設定温度に関する情報と、使用者のスケジュールに関する情報であるスケジュール情報とを入力手段９に入力することができる。制御装置１００４は、記憶手段２および制御手段３を有する。記憶手段２は、制御手段３と通信可能である。また、記憶手段２は、扉開閉検出手段８の検出信号を受信する。更に、記憶手段２は、操作パネル１の入力手段９および表示手段１０と通信可能に接続されている。記憶手段２は、入力手段９にて入力された各貯蔵室の設定温度に関する情報（例えば、各貯蔵室の設定温度）および使用者のスケジュール情報を受信し、それらの情報を記憶する。表示手段１０は、各貯蔵室の現在の温度情報と、記憶手段２にて記憶された使用者のスケジュール情報とを表示することができる。
【００２１】
制御手段３は、圧縮機１００１、送風装置１００３および吹出風量制御装置の各々と電気的に接続されている。制御手段３は、記憶手段２から使用者のスケジュール情報を受信する。制御手段３は、記憶手段２から受信した使用者のスケジュール情報に基づき、各貯蔵室の室内温度を制御するために必要な制御信号を、圧縮機１００１、送風装置１００３および吹出風量制御装置に送る。制御手段３は、使用者のスケジュール情報と、予め記憶されたプログラムとに基づき、各貯蔵室の冷却を促進または抑制するように、圧縮機１００１、送風装置１００３および吹出風量制御装置を制御する。
【００２２】
記憶手段２は、扉開閉検出手段８にて検出された扉の開閉の情報を記憶する。また、記憶手段２は、扉開閉検出手段８にて検出された扉の開閉の過去の履歴に関する情報を記憶する。これらの情報を以下「扉開閉情報」と称する。記憶手段２は、扉開閉情報を制御手段３に送信する。本実施の形態１では、制御手段３は、使用者のスケジュール情報と扉開閉情報とに基づいて、圧縮機１００１、送風装置１００３および吹出風量制御装置を制御する。ただし、本発明では、扉開閉情報を併用せずに使用者のスケジュール情報に基づいて圧縮機１００１、送風装置１００３および吹出風量制御装置を制御しても良い。
【００２３】
図４から図６は、本実施の形態１の冷蔵庫１０００において、使用者のスケジュール情報を表示する表示手段１０の表示画面の一例を示す図である。記憶手段２は、入力手段９にて入力された使用者のスケジュール情報を記憶するとともにそのデータを管理する。図４から図６は、記憶手段２にて記憶および管理されたスケジュール情報のデータに基づいて操作パネル１の表示手段１０が表示する画面を模擬したものである。
【００２４】
図４は月表示のスケジュール画面であり、図５は週表示のスケジュール画面であり、図６は日表示のスケジュール画面である。図４から図６では、使用者として、一般的な共働き家庭の４人家族を想定している。この４人家族は、父：太郎、母：花子、長女：和美、および、長男：一夫を含む。
【００２５】
図４の月表示において、使用者全員の予定ありマーク１１ａは、使用者全員の予定があることを示すマークである。父（太郎）の予定ありマーク１１ｂは、父である太郎の予定があることを示すマークである。母（花子）の予定ありマーク１１ｃは、母である花子の予定があることを示すマークである。長女（和美）の予定ありマーク１１ｄは、長女である和美の予定があることを示すマークである。長男（一夫）の予定ありマーク１１ｅは、長男である一夫の予定があることを示すマークである。
【００２６】
図５の週表示において、マーク１２ａ〜１２ｇは、予定の内容を示すマークである。旅行予定マーク１２ａは、旅行の予定があることを示す。出張予定マーク１２ｂは、出張の予定があることを示す。ゴルフ予定マーク１２ｃは、ゴルフの予定があることを示す。外食予定マーク１２ｄは、外食の予定があることを示す。水泳（習い事）予定マーク１２ｅは、習い事である水泳の予定があることを示す。ピアノ（習い事）予定マーク１２ｆは、習い事であるピアノの予定があることを示す。サッカー（習い事）予定マーク１２ｇは、習い事であるサッカーの予定があることを示す。
【００２７】
図６の日表示において、現在時刻マーク１３は、現在時刻を示すマークである。マーク１４ａ，１４ｂは、使用者の不定期な外出の予定の時間帯を示す。出張（不定期な予定）による外出時間帯マーク１４ａは、不定期な外出である出張の予定の時間帯を示す。図６では、父太郎が一日中出張する予定であることが示される。外食（不定期な予定）による外出時間帯マーク１４ｂは、不定期な外出である外食の予定の時間帯を示す。図６では、母花子、長女和美および長男一夫が１８：００から２１：００まで外食に行っている予定であることが示される。マーク１５ａ，１５ｂは、使用者の定期的な外出の予定の時間帯を示す。仕事（定期的な予定）による外出時間帯マーク１５ａは、定期的な外出である仕事の予定の時間帯を示す。図６では、母花子が８：００から１８：００まで仕事に行っている予定であることが示される。学校（定期的な予定）による外出時間帯マーク１５ｂは、定期的な外出である学校の予定の時間帯を示す。図６では、長女和美が８：００から１８：００まで学校に行っている予定であることが示され、長男一夫が８：００から１５：００まで学校に行っている予定であることが示される。睡眠時間帯マーク１６は、使用者が睡眠をとる予定の時間帯を示す。図６では、母花子が２３：００から６：００まで睡眠をとる予定であることが示され、長女和美が２３：００から７：００まで睡眠をとる予定であることが示され、長男一夫が２２：００から７：００まで睡眠をとる予定であることが示される。上述した例では、使用者が睡眠をとる予定の時間帯および使用者の定期的な外出の予定の時間帯が、使用者の生活パターンに関する情報に相当する。
【００２８】
次に、図１から図６を用いて、本実施の形態１の冷蔵庫１０００の動作の一例について説明する。図２において、冷却器１００２で冷却された冷却空気が、送風装置１００３により、冷却風路１０１０を経由して各貯蔵室へ送風される。そして、各貯蔵室を冷却した後の戻り空気が戻り風路１０２０を経由して再度冷却器１００２に戻る周回風路が形成される。このとき、冷却器１００２で冷却された冷却空気が各貯蔵室に分配されて各貯蔵室を冷却する。冷蔵室ダンパ１０２を含む複数のダンパの開閉制御により、各貯蔵室への冷却空気の流入量すなわち吹出風量が制御されることにより、各貯蔵室に対して個別の温度設定が行われる。ここで、冷却器１００２で冷却された冷却空気は、例えば、−３０℃〜−２５℃の温度帯である。
【００２９】
例えば、最も低温設定となる冷凍室４００（例えば、−２２℃〜−１６℃）のダンパはほぼ全開とし、最も高温設定となる野菜室５００（例えば、３℃〜９℃）のダンパはほぼ全閉としている。そして、野菜室５００より設定温度の低い冷蔵室１００（例えば、０℃〜６℃）およびチルド室１１０（例えば、０℃〜２℃）を冷却した戻り空気で野菜室５００を間接冷却するなどして、各貯蔵室の設定温度を制御している。
【００３０】
ここで、各貯蔵室の冷却過剰または冷却不足に対応して、各貯蔵室の設定温度は±２℃〜±３℃程度の調整が可能である。例えば、冷凍室４００の設定温度は−２５℃〜−１３℃程度の範囲で設定変更が可能であり、冷蔵室１００の設定温度は−２℃〜９℃程度の範囲で設定変更が可能である。特定の貯蔵室内が冷却不足となった場合には、その貯蔵室の設定温度を低くすることにより冷却を促進させる制御が行われる。例えば、冷蔵室１００のみ冷却を促進する場合には、冷蔵室ダンパ１０２の開率を大きくすることによって、冷蔵室１００への冷却空気の流入量すなわち吹出風量を増加させる。また、複数の貯蔵室の冷却を促進する必要がある場合には、冷凍サイクルの冷却能力を上昇させるために、圧縮機１００１の回転速度および送風装置１００３の送風量の一方または両方を増加させる。その結果として、冷蔵庫１０００の消費電力は増加する。
【００３１】
逆に、特定の貯蔵室が冷却過剰となった場合には、その貯蔵室の設定温度を高くすることにより冷却を抑制する、すなわち冷却を弱める。この場合には、その貯蔵室に対するダンパの開率が小さくされ、冷却空気の流入量すなわち吹出風量を減少させる。また、複数の貯蔵室の冷却を抑制する場合には、圧縮機１００１の回転速度および送風装置１００３の送風量の一方または両方を減少させるので、冷蔵庫１０００の消費電力は減少する。
【００３２】
冷蔵庫１０００の消費電力は、ルームエアコンおよびＩＨクッキングヒータなどの他の家電機器に比べて小さい。しかしながら、冷蔵庫１０００は、飲食物を貯蔵しているため、冷却を停止、すなわち電源ＯＦＦすることができない。そのため、冷蔵庫１０００の節電運転を実施するためには、使用者の使用状況および飲食物の貯蔵状況に応じて、各貯蔵室の設定温度を上昇させる必要がある。例えば急冷運転の原因となる扉開閉の頻度が少ないとき、または、貯蔵室内の飲食物の量が少ない場合などには、設定温度を上昇させても、飲食物の保存品質を損なうことなく節電運転することが可能となる。
【００３３】
そこで、本実施の形態１では、図３に示したように、操作パネル１にて入力された使用者のスケジュール情報を記憶手段２が記憶し、制御手段３がそのスケジュール情報に基づいて圧縮機１００１、送風装置１００３および吹出風量制御装置を制御することにより、各貯蔵室の設定温度を変更することが可能である。
【００３４】
図４から図６に示した使用者のスケジュール情報に基づいて、例えば次のように制御する。まず、数日単位の制御例を説明する。図４の月表示および図５の週表示から、５月３日から５月６日までの間は使用者全員が旅行で外出して不在となる予定である。すなわち、５月３日から５月６日までの間は、冷蔵庫１０００内の飲食物が増加しないこと、および、冷蔵庫１０００の扉が開閉されないことが確実である。そのため、制御手段３は、５月３日から５月６日までの間、圧縮機１００１の回転速度および送風装置１００３の送風量の一方または両方を通常運転時に比べて減少させる冷却抑制制御を行う。これにより、飲食物の保存品質を維持したうえで、より高い節電量が得られる節電運転を実施することが可能となる。また、使用者全員が不在となる日だけでなく、一部の使用者が不在となる日にも、同様の冷却抑制制御すなわち節電運転を行っても良い。その場合、不在になる使用者の人数が多い場合ほど、圧縮機１００１の回転速度および送風装置１００３の送風量の一方または両方の減少幅を大きくしても良い。
【００３５】
次に、１日単位の制御例を説明する。図６の日表示において、８：００〜１５：００および１８：００〜２１：００は使用者全員が外出して不在となる予定の時間帯であり、２３：００〜６：００は使用者全員が睡眠する予定の時間帯である。これらの時間帯においては、突発的な事例を除いて、冷蔵庫１０００の扉は開閉されない。突発的な事例とは、例えば、使用者が外出先で病気になり途中で帰宅する事例、使用者が夜中に起きだして飲料を取り出す事例などである。制御手段３は、使用者全員が外出して不在となる予定の時間帯および使用者全員が睡眠する予定の時間帯には、圧縮機１００１の回転速度および送風装置１００３の送風量の一方または両方を通常運転時に比べて減少させる冷却抑制制御を行う。これにより、飲食物の保存品質を維持したうえで、より高い節電量が得られる節電運転を実施することが可能となる。また、使用者全員が外出または睡眠する時間帯だけでなく、一部の使用者が外出または睡眠する時間帯にも、同様の冷却抑制制御すなわち節電運転を行っても良い。その場合、外出または睡眠する使用者の人数が多い場合ほど、圧縮機１００１の回転速度および送風装置１００３の送風量の一方または両方の減少幅を大きくしても良い。
【００３６】
上述したように、使用者のスケジュール情報を冷蔵庫１０００の冷却制御に反映することにより、使用者の生活パターンに適合した、時間単位のより高い節電量が得られる節電運転が可能となる。
【００３７】
また、飲食物を保存する冷蔵庫１０００では、記憶手段２が冷却制御に反映する生活パターンとして、定常的な外出、就寝および起床などの各使用者の個人的な行為の他に、使用者世帯の買い物パターンすなわち飲食物購入予定情報が重要な制御因子となる。使用者世帯が飲食物の買い物をすると、その買って来た飲食物を冷蔵庫１０００に収納する際に冷蔵庫１０００の扉が開かれるので、貯蔵室内の温度が上昇し、急冷運転の原因となる。
【００３８】
そこで、本実施の形態１では、図４から図６に示した使用者の個人的なスケジュール情報に加えて、使用者世帯の買い物パターンをスケジュール情報として記憶手段２にて記憶する。共働きの家庭は、週末にまとめ買いをする場合が多い。専業主婦がいる家庭は、毎日買い物をする場合が多い。記憶手段２は、入力手段９に入力される情報に基づき、例えば、週末にまとめて買い物をするパターン、毎日買い物をするパターン、または、一週間より短い周期（たとえば１日置き）で買い物をするパターンなどを買い物パターンとして記憶する。上記のような複数の買い物パターンの選択肢を記憶手段２が予め記憶しており、それらの選択肢から使用者が入力手段９にて買い物パターンを選択するようにしても良い。
【００３９】
使用者世帯の買い物パターンが週末にまとめて買い物をするパターンである場合には、週末に、冷蔵庫１０００の扉の開閉が頻発するとともに飲食物の収納量が多くなるので、週末に冷却を促進することが望ましい。そこで、制御手段３は、使用者世帯の買い物パターンが週末にまとめて買い物をするパターンである場合には、週末に各貯蔵室の設定温度を平日に比べて低くすることにより冷却を促進する。一方、平日には買い物がされないので、冷蔵庫１０００の扉の開閉頻度は低い。そこで、制御手段３は、平日には各貯蔵室の設定温度を週末に比べて高くすることにより冷却を抑制する。これにより、飲食物の保存品質を維持しつつ節電できる。また、平日には、週末に近づくにつれて、冷蔵庫１０００内に収納されている飲食物が減っていき、飲食物の冷却負荷が減少する。そこで、制御手段３は、平日には、週末に近づくにつれて、各貯蔵室の設定温度を徐々に高く変更する。これにより、飲食物の保存品質を維持しつつ更に節電できる。
【００４０】
また、使用者世帯の買い物パターンが一週間より短い周期で買い物をするパターンである場合には、制御手段３は、買い物が予定される日には他の日に比べて各貯蔵室の設定温度を低くすることにより冷却を促進する。以上のように、冷蔵庫１０００の扉開閉頻度および飲食物の収納量を使用者世帯の買い物パターンに基づき推定できるので、使用者世帯の買い物パターンに基づき冷却制御を変更することにより、冷却過剰および冷却不足を防止し、効率的な冷却が可能となり、無駄のない冷却運転をすることができるため高い節電効果が得られる。
【００４１】
図７は、本発明の実施の形態１の冷蔵庫１０００の制御を示すフローチャートである。図７に示すフローチャートを参照して、本実施の形態１の動作について説明する。
【００４２】
ステップＳ１０において、冷蔵庫１０００は、通常冷却運転モードにあり、通常の冷却運転を行っている。この通常の冷却運転中、制御手段３は、記憶手段２に記憶されたスケジュール情報に基づき、現時点が、使用者が定期的に外出する予定の時間帯または使用者が睡眠する予定の時間帯にあるかどうかを判定する（ステップＳ１１）。使用者が定期的に外出する予定の時間帯を以下「定期外出時間帯」と称し、使用者が睡眠する予定の時間帯を以下「睡眠時間帯」と称する。なお、本実施の形態１では、制御手段３は、使用者全員の定期外出時間帯または睡眠時間帯が重なっている時間帯に現時点が該当する場合に、現時点が定期外出時間帯または睡眠時間帯に該当すると判定するものとする。ただし、本発明では、一部の使用者の定期外出時間帯または睡眠時間帯に現時点が該当する場合に、現時点が定期外出時間帯または睡眠時間帯に該当すると判定しても良い。
【００４３】
制御手段３は、現時点が定期外出時間帯または睡眠時間帯に該当しないと判定した場合には、最初のステップＳ１０に戻り、通常の冷却運転を継続する（ステップＳ１１のＮＯ）。
【００４４】
一方、制御手段３は、現時点が定期外出時間帯または睡眠時間帯に該当すると判定した場合（ステップＳ１１のＹＥＳ）には、ステップＳ１２に進む。ステップＳ１２で、制御手段３は、冷蔵庫１０００の扉の閉状態の持続時間が予め設定された時間に達したかどうかを判定する。予め設定された時間を以下「所定時間」と称する。換言すれば、制御手段３は、ステップＳ１２で、扉開閉情報に基づき、冷蔵庫１０００の扉の開閉が過去所定時間内にないかどうかを判定する。
【００４５】
ステップＳ１２で、制御手段３が、冷蔵庫１０００の扉の閉状態の持続時間が所定時間に達していないと判定した場合、すなわち、過去所定時間内に冷蔵庫１０００の扉が開閉された履歴があると判定した場合には、最初のステップＳ１０に戻り、通常の冷却運転を継続する（ステップＳ１２のＮＯ）。
【００４６】
一方、ステップＳ１２で、制御手段３が、冷蔵庫１０００の扉の閉状態の持続時間が所定時間に達したと判定した場合、すなわち、過去所定時間内に冷蔵庫１０００の扉が開閉された履歴がないと判定した場合（ステップＳ１２のＹＥＳ）には、冷蔵庫１０００の貯蔵室の冷却を抑制するように圧縮機１００１、送風装置１００３および吹出風量制御装置の少なくとも一つを制御する冷却抑制制御モードを設定する（ステップＳ１３）。ここでの所定時間は、例えば３０分間であるが、３０分より短くても長くてもよく、使用者が任意に設定できるものである。
【００４７】
冷却抑制制御モードは、特定の一つの貯蔵室を対象とする場合にはその貯蔵室の吹出風量制御装置であるダンパの開率を小さくして、冷却空気の流入量、すなわち、吹出風量を減少させる。また、複数の貯蔵室を対象とする場合には、圧縮機１００１の回転速度および送風装置１００３の送風量の一方または両方を減少させるので、冷蔵庫１０００の消費電力は減少することになる。これら圧縮機１００１、送風装置１００３および吹出風量制御装置は、すべて同時に制御されても良いし、それぞれが個別に制御されても良い。
【００４８】
具体的な制御としては、例えば、通常冷却運転モードの場合の冷蔵室１００の設定温度が３℃とすると、冷却抑制制御モードの設定温度を５℃にして、冷蔵室１００の設定温度を高温化する。次に、冷蔵室ダンパ１０２の開率を小さくして、冷却空気の流入量を減少させる。または、圧縮機１００１の回転速度を減少させたり送風装置１００３の送風量を減少させたりして、冷蔵室１００に流入する冷却空気を減少させても良い。冷蔵室１００に流入する冷却空気の減少により、冷蔵室１００の室内温度は上昇し、冷却抑制制御モードの間は、５℃の設定温度にて安定するように制御する。
【００４９】
また、複数の貯蔵室の室内温度を上昇させる場合においても、同様に圧縮機１００１の回転速度を減少させたり、送風装置１００３の送風量を減少させたり、吹出風量制御装置の開率を小さくしたりして、複数の貯蔵室の室内温度を上昇させる制御を行う。
【００５０】
次に、制御手段３は、現時点が定期外出時間帯または睡眠時間帯であるかどうかを再度判定する（ステップＳ１４）。制御手段３は、現時点がまだ定期外出時間帯または睡眠時間帯にあると判定した場合には、冷却抑制制御モードを継続する（ステップＳ１４のＹＥＳ）。一方、制御手段３は、現時点が定期外出時間帯または睡眠時間帯でないと判定した場合、すなわち定期外出時間帯または睡眠時間帯が終了した場合（ステップＳ１４のＮＯ）には、冷却抑制制御モードを解除して、通常冷却運転モードを再開する（ステップＳ１５）。ステップＳ１５では、冷却抑制制御モードの制御開始前の貯蔵室の設定温度に戻す。
【００５１】
上述したように、定期外出時間帯または睡眠時間帯には、貯蔵室の冷却を抑制する冷却抑制制御を行う。これにより、冷蔵庫１０００の扉の開閉頻度がゼロまたは低いと予測される時間帯の冷却を抑制することで電力消費を抑制することができるため、飲食物の保存品質を維持しつつ高い節電効果を得ることができる。また、使用者が自分で節電設定を考えて設定をする必要がなく、使用者は自分のスケジュールを入力するだけで、そのスケジュール情報にしたがって自動で節電運転を行うことができるため、使用者の節電設定を考えて入力する煩雑さが解消され、簡単な入力だけで高い節電効果を得ることができる。
【００５２】
図８は、本発明の実施の形態１の冷蔵庫１０００の変形例１の制御を示すフローチャートである。図８のフローチャートを参照して、本実施の形態の変形例１について説明する。
【００５３】
ステップＳ２０において、冷蔵庫１０００は、通常冷却運転モードにあり、通常の冷却運転を行っている。次に、制御手段３は、記憶手段２に記憶されたスケジュール情報に基づき、現時点が、使用者が不定期に外出する予定の時間帯にあるかどうかを判定する（ステップＳ２１）。使用者が不定期に外出する予定の時間帯を以下「不定期外出時間帯」と称する。なお、本実施の形態１では、制御手段３は、使用者全員の不定期外出時間帯が重なっている時間帯に現時点が該当する場合に、現時点が不定期外出時間帯に該当すると判定するものとする。ただし、本発明では、一部の使用者の不定期外出時間帯に現時点が該当する場合に、現時点が不定期外出時間帯に該当すると判定しても良い。
【００５４】
この判定の結果、制御手段３は、現時点が不定期外出時間帯に該当しないと判定した場合には、最初のステップＳ２０に戻り、通常の冷却運転を継続する（ステップＳ２１のＮＯ）。
【００５５】
一方、制御手段３は、現時点が不定期外出時間帯に該当すると判定した場合（ステップＳ２１のＹＥＳ）には、ステップＳ２２に進む。ステップＳ２２で、制御手段３は、貯蔵室の冷却を促進する冷却促進制御モードを設定する。ここでの冷却促進制御モードは、上述の冷却抑制制御モードとは逆の制御を行う。すなわち、冷却促進制御モードでは、貯蔵室の設定温度を低下させ、この低下された設定温度に向けて貯蔵室の室内温度を低下させる制御を行う。具体的には、例えば、貯蔵室の設定温度を通常冷却運転モードの設定温度よりも２℃低下させる。また、この設定温度を低下させる幅は２℃を超えても２℃未満でも良く、各貯蔵室の予め決められた設定温度の範囲内であれば良い。
【００５６】
冷却促進制御モードにより貯蔵室の設定温度が低くなる。制御手段３は、貯蔵室の室内温度が、低下された設定温度に到達したかどうかを判定する（ステップＳ２３）。
【００５７】
この判定の結果、低下された設定温度に貯蔵室の室内温度が到達していない場合には、制御手段３は、冷却促進制御モードを継続して、貯蔵室の室内温度を低下された設定温度に近づけるように、貯蔵室の冷却を促進する（ステップＳ２３のＮＯ）。
【００５８】
一方、貯蔵室の室内温度が、低下された設定温度に到達した場合（ステップＳ２３のＹＥＳ）には、ステップＳ２４に進む。ステップＳ２４で、制御手段３は、扉開閉情報に基づき、貯蔵室の室内温度が設定温度に到達した時点から起算した扉の閉状態の持続時間が所定時間に達したかどうかを判定する（ステップＳ２４）。ここでの所定時間は、例えば３０分間であるが、３０分より短くても長くてもよく、使用者が任意に設定できるものである。
【００５９】
この判定の結果、上記持続時間が所定時間に達しない場合、すなわち、貯蔵室の室内温度が設定温度に到達した時点から所定時間が経過する前に扉が開かれた場合には、制御手段３は、最初の通常冷却運転モード（ステップＳ２０）に戻り、通常運転を再開する（ステップＳ２４のＮＯ）。
【００６０】
一方、上記持続時間が所定時間に達した場合、すなわち、貯蔵室の室内温度が設定温度に到達した時点から所定時間内に扉の開閉がなかった場合（ステップＳ２４のＹＥＳ）には、制御手段３は、冷却抑制制御モードを設定する（ステップＳ２５）。制御手段３は、冷却抑制制御モードでは、貯蔵室の設定温度を上昇させて、この上昇された設定温度に向けて室内温度を上昇させる。ここでの冷却抑制制御モードは、上述の冷却抑制制御モードと同様の制御を行うこととし、例えば、設定温度の上昇は通常運転時の設定温度に対して２℃上昇させたものとする。
【００６１】
次に、制御手段３は、現時点が不定期外出時間帯であるかどうかを再度判定する（ステップＳ２６）。制御手段３は、現時点がまだ不定期外出時間帯に該当すると判定した場合には、冷却抑制制御モードを継続して、貯蔵室の設定温度を高いまま維持し冷蔵庫１０００の節電を図る（ステップＳ２６のＹＥＳ）。
【００６２】
一方、制御手段３は、現時点が不定期外出時間帯に該当しないと判定した場合、すなわち不定期外出時間帯が終了した場合（ステップＳ２６のＮＯ）には、冷却抑制制御モードを解除して、通常冷却運転モードを再開する（ステップＳ２７）。すなわち、ステップＳ２７では、貯蔵室の設定温度を通常運転時の設定温度に戻す。
【００６３】
上述したように、上記の変形例１では、不定期外出時間帯には、冷却促進制御を一時的に行うことにより、不定期な外出の予定が中止になったために家にいることになった使用者が冷蔵庫１０００を使用する場合にも、扉の開閉が頻発する前に貯蔵室内を低温化しているため、貯蔵室内の飲食物の保存品質をより確実に維持することができる。また、扉の開閉が頻発して貯蔵室の室内温度が上昇してから冷却促進制御を行うよりも、貯蔵室の室内温度が上昇する前に冷却促進制御を行う方が、冷却促進制御によって低下する温度差が小さいため、圧縮機１００１および送風装置１００３を含む冷凍サイクルの負担が軽減され、結果として冷蔵庫１０００の消費電力の低減につながり、節電効果が得られる。
【００６４】
図９は、本発明の実施の形態１の冷蔵庫１０００の変形例２の制御を示すフローチャートである。図９のフローチャートを参照して、本実施の形態の変形例２について説明する。
【００６５】
ステップＳ３０において、冷蔵庫１０００は、通常冷却運転モードにあり、通常の冷却運転を行っている。次に、制御手段３は、記憶手段２に記憶されたスケジュール情報に基づき、現時点が不定期外出時間帯であるかどうかを判定する（ステップＳ３１）。
【００６６】
この判定の結果、制御手段３は、現時点が不定期外出時間帯に該当しないと判定した場合には、最初のステップＳ３０に戻り、通常の冷却運転を継続する（ステップＳ３１のＮＯ）。
【００６７】
一方、制御手段３は、現時点が不定期外出時間帯に該当すると判定した場合（ステップＳ３１のＹＥＳ）には、ステップＳ３２に進む。ステップＳ３２で、制御手段３は、貯蔵室の冷却を促進する冷却促進制御モードを設定する。ここでの冷却促進制御モードは、上述の冷却促進制御モードと同様の制御を行う。すなわち、冷却促進制御モードでは、貯蔵室の設定温度を低下させ、この低下された設定温度に向けて貯蔵室の室内温度を低下させる制御を行う。具体的には、例えば、貯蔵室の設定温度を通常冷却運転モードの設定温度よりも２℃低下させる。また、この設定温度を低下させる幅は２℃を超えても２℃未満でも良く、各貯蔵室の予め決められた設定温度の範囲内であれば良い。
【００６８】
冷却促進制御モードにより貯蔵室の設定温度が低くなる。制御手段３は、貯蔵室の室内温度が、低下された設定温度に到達したかどうかを判定する（ステップＳ３３）。
【００６９】
この判定の結果、低下された設定温度に貯蔵室の室内温度が到達していない場合には、制御手段３は、冷却促進制御モードを継続して、貯蔵室の室内温度を低下された設定温度に近づけるように、貯蔵室の冷却を促進する（ステップＳ３３のＮＯ）。
【００７０】
一方、貯蔵室の室内温度が、低下された設定温度に到達した場合（ステップＳ３３のＹＥＳ）には、ステップＳ３４に進む。ステップＳ３４で、制御手段３は、扉開閉情報に基づき、冷却促進制御モードが開始された時点から起算した扉の閉状態の持続時間が所定時間に達したかどうかを判定する（ステップＳ３４）。ここでの所定時間は、例えば３０分間であるが、３０分より短くても長くてもよく、使用者が任意に設定できるものである。
【００７１】
この判定の結果、上記持続時間が所定時間に達しない場合、すなわち、冷却促進制御モードが開始された時点から所定時間が経過する前に扉が開かれた場合には、制御手段３は、最初の通常冷却運転モード（ステップＳ３０）に戻り、通常運転を再開する（ステップＳ３４のＮＯ）。
【００７２】
一方、上記持続時間が所定時間に達した場合、すなわち、冷却促進制御モードが開始された時点から所定時間内に扉の開閉がなかった場合（ステップＳ３４のＹＥＳ）には、制御手段３は、冷却抑制制御モードを設定する（ステップＳ３５）。制御手段３は、冷却抑制制御モードでは、貯蔵室の設定温度を上昇させて、この上昇された設定温度に向けて室内温度を上昇させる。ここでの冷却抑制制御モードは、上述の冷却抑制制御モードと同様の制御を行うこととし、例えば、設定温度の上昇は通常運転時の設定温度に対して２℃上昇させたものとする。
【００７３】
次に、制御手段３は、現時点が不定期外出時間帯であるかどうかを再度判定する（ステップＳ３６）。制御手段３は、現時点がまだ不定期外出時間帯に該当すると判定した場合には、冷却抑制制御モードを継続して、貯蔵室の設定温度を高いまま維持し冷蔵庫１０００の節電を図る（ステップＳ３６のＹＥＳ）。
【００７４】
一方、制御手段３は、現時点が不定期外出時間帯に該当しないと判定した場合、すなわち不定期外出時間帯が終了した場合（ステップＳ３６のＮＯ）には、冷却抑制制御モードを解除して、通常冷却運転モードを再開する（ステップＳ３７）。すなわち、ステップＳ３７では、貯蔵室の設定温度を通常運転時の設定温度に戻す。
【００７５】
上記変形例２によれば、上記変形例１と同様の効果が得られる。また、上記変形例２では、上記持続時間の起算時点が冷却促進制御モード開始時点であるので、冷却抑制制御モードを開始するまでの時間が上記変形例１に比べて短縮され、冷却抑制制御の時間が長くなることで、節電効果が上記変形例１に比べて更に向上する。
【００７６】
また、図１および図２に示した操作パネル１の表示手段１０には、入力された使用者のスケジュール情報以外に、各貯蔵室の現在の室内温度情報、設定温度情報、および、冷凍サイクル装置の負荷情報すなわち運転情報を表示することが可能である。さらに、使用者のスケジュール情報に基づいて変更された制御内容（例えば圧縮機１００１の運転率）などを、操作パネル１の表示手段１０に併せて表示することができる。また、使用者のスケジュール情報に基づいて変更された制御である冷却抑制制御すなわち節電運転における節電情報（例えば消費電力の削減量）も併せて表示手段１０に表示することができる。
【００７７】
使用者のスケジュール情報と、それに対応した制御内容を表示手段１０に表示することにより、使用者が自動制御内容を確認できるだけでなく、最適な冷却運転および節電運転に寄与する設定温度などの使用方法を、使用者に啓蒙することが可能になるという効果が得られる。
【００７８】
本実施の形態１では、使用者がスケジュール情報を入力するだけで、このスケジュール情報に基づいて、冷蔵庫１０００の最適な節電運転を制御することができる。また、使用者のスケジュール情報に基づいていることにより、電力消費のピーク時間帯等の決められた時間だけではなく、使用者のスケジュール情報を反映させて、節電が可能な時間に自動的に節電運転を行うため、より高い節電効果を得ることができる。また、節電運転に対して、使用者が節電計画を考えたり設定したりする煩雑な作業をなくすことができる。このことにより、使用者は、冷蔵庫１０００に対して容易な作業で、より高い節電効果を得ることができる。
【００７９】
実施の形態２．
図１０は、本発明の実施の形態２の冷蔵庫の側面断面図である。なお、本実施の形態２で特に記述しない項目については実施の形態１と同様とし、同一の機能や構成については同一の符号を用いて述べることとする。
【００８０】
図１０に示す本実施の形態２の冷蔵庫１０００は、実施の形態１の冷蔵庫１０００の構成に加えて、温度検出手段である貯蔵室内温度検出装置５と、貯蔵室内の圧力を検出する貯蔵室内圧力検出装置６とを有する。貯蔵室内温度検出装置５は、冷蔵室１００の扉の裏面に設置されている。貯蔵室内温度検出装置５は、冷蔵室１００内の扉側の上方の温度を検出する。貯蔵室内圧力検出装置６は、冷蔵室１００の天井面に設置されている。後述するように、貯蔵室内圧力検出装置６は、貯蔵室（ここでは冷蔵室１００）に収納された物品すなわち飲食物の体積に関する情報を推定する体積推定手段として機能し得る。貯蔵室内温度検出装置５および貯蔵室内圧力検出装置６は、冷蔵室１００以外の他の貯蔵室に設置されていても良く、また、すべての貯蔵室に設置されていても良い。
【００８１】
図１１は、本発明の実施の形態２の冷蔵庫１０００の機能ブロック図である。図１１に示すように、制御装置１００４は、貯蔵室（ここでは冷蔵室１００）に収納された物品すなわち飲食物の冷却負荷を推定する冷却負荷推定手段７を有する。貯蔵室内温度検出装置５と貯蔵室内圧力検出装置６は、冷却負荷推定手段７に接続されている。冷却負荷推定手段７は、貯蔵室内温度検出装置５で検出される冷蔵室１００内の扉側上方温度と、貯蔵室内圧力検出装置６で検出される冷蔵室１００内の圧力とに基づいて、冷蔵室１００に収納された物品すなわち飲食物の冷却負荷を推定し、この推定結果を記憶手段２に送信する。記憶手段２は、冷却負荷推定手段７から受信した飲食物の冷却負荷の推定結果を記憶し、制御手段３に送信する。
【００８２】
なお、冷却負荷推定手段７は、貯蔵室内温度検出装置５で検出される温度および貯蔵室内圧力検出装置６で検出される圧力に代えて、扉開閉検出手段８で検出される扉開閉情報に基づいて、冷却負荷を推定しても良い。また、冷却負荷推定手段７は、貯蔵室内温度検出装置５で検出される温度および貯蔵室内圧力検出装置６で検出される圧力に加えて、扉開閉検出手段８で検出される扉開閉情報に基づいて、冷却負荷を推定しても良い。
【００８３】
制御手段３は、使用者のスケジュール情報と、飲食物の冷却負荷推定結果とに基づいて、圧縮機１００１、送風装置１００３および吹出風量制御装置の少なくとも一つを制御する制御信号を、圧縮機１００１、送風装置１００３および吹出風量制御装置の少なくとも一つに送る構成となっている。
【００８４】
また、扉開閉検出手段８は、実施の形態１と同様に記憶手段２に扉開閉情報を送る構成となっているが、冷却負荷推定手段７に扉開閉情報を送信しても良い（図示省略）。この場合、扉開閉検出手段８によって検出された扉開閉情報から冷却負荷推定手段７が冷却負荷を推定する。すなわち、扉の開閉頻度が高いほど冷却負荷が大きく、扉の開閉頻度が低いほど冷却負荷が小さいと推定することができる。
【００８５】
次に、図１１を用いて動作の一例について説明する。動作についても、実施の形態１と同一の箇所については説明を割愛する。
【００８６】
冷蔵庫１０００に飲食物を保管する場合、飲食物の品質を維持するためには、貯蔵室内の低温状態をなるべく維持する必要がある。貯蔵室内の飲食物が多い場合すなわち飲食物の冷却負荷が高い場合には、飲食物が冷えにくいため、貯蔵室の設定温度を高くすると、飲食物が品質劣化する直接の原因となる。このため、貯蔵室内の飲食物が多い場合すなわち飲食物の冷却負荷が高い場合には、貯蔵室の設定温度を低くすることが望まれる。これに対し、貯蔵室内の飲食物が少ない場合すなわち飲食物の冷却負荷が低い場合には、飲食物が容易に冷えるため、設定温度が比較的高くても、飲食物の品質は維持され易い。したがって、貯蔵室内の設定温度の変更については、飲食物の収納量すなわち冷却負荷量を反映させることが望ましい。そこで、本実施の形態２では、貯蔵室の代表として冷蔵室１００内の飲食物の冷却負荷を冷却負荷推定手段７により推定する。
【００８７】
図１２から図１７は、本発明の実施の形態２の冷蔵庫１０００の冷蔵室１００内の温度の履歴、および、冷蔵室１００の内外差圧の履歴を示す実測データの一例である。冷蔵室１００の内外差圧とは、冷蔵室１００内の圧力と、冷蔵庫１０００外の圧力すなわち大気圧との差である。貯蔵室に収納された飲食物の体積が当該貯蔵室の容積に対して占める割合を以下「収納容積占有率」と称する。図１２および図１３は、収納容積占有率が０％の場合を示し、図１４および図１５は収納容積占有率が４０％の場合を示し、図１６および図１７は収納容積占有率が７０％の場合を示す。図１２から図１７のデータ計測では、まず、冷蔵室１００の扉を１分間全開にした後に２４時間運転し、冷蔵室１００内の各位置の温度、消費電力、および、貯蔵室内圧力検出装置６により検出される冷蔵室１００内の圧力を実測した。そして、冷蔵室１００内の圧力の実測値と大気圧との差から冷蔵室１００の内外差圧を算出した。
【００８８】
図１２、図１４および図１６において、（ａ）は冷蔵室１００内の主要温度および消費電力を示し、（ｂ）は冷蔵室１００内の棚温度を示す。図１３、図１５および図１７において、（ｃ）は冷蔵室１００内の扉棚温度を示し、（ｄ）は冷蔵室１００の内外差圧を示す。
【００８９】
図１２、図１４および図１６の（ａ）において、１８は冷蔵室１００の天井面の平均温度、１９は冷蔵室１００の背面の平均温度、２０は冷蔵室１００の背面に設置された吹出口から供給される冷却空気の平均温度、２１は冷蔵庫１０００全体の消費電力である。
【００９０】
図１２、図１４および図１６の（ｂ）において、２２ａ〜２２ｄは、冷蔵室１００内の棚板によって４段に仕切られた冷蔵室１００内の各棚の平均温度である。より詳しくは、２２ａは、冷蔵室１００の棚の最上段の平均温度、２２ｂは、冷蔵室１００の棚の２段目の平均温度、２２ｃは、冷蔵室１００の棚の３段目の平均温度、２２ｄは、冷蔵室１００の棚の最下段の平均温度である。
【００９１】
図１３、図１５および図１７の（ｃ）において、２３ａ〜２３ｃは、冷蔵室１００の扉の裏面に設置された３段の各扉棚の平均温度である。より詳しくは、２３ａは、冷蔵室１００の扉棚の上段の平均温度、２３ｂは、冷蔵室１００の扉棚の中段の平均温度、２３ｃは、冷蔵室１００の扉棚の下段の平均温度である。
【００９２】
図１３、図１５および図１７の（ｄ）において、２４は、冷蔵室１００の内外差圧である。なお、データ計測に際し、冷蔵室１００に収納する飲食物として袋入りインスタントラーメンを用いた。また、上記（ｂ）に示される冷蔵室１００の棚の平均温度２２ａ〜２２ｄの測定位置は、当該飲食物より背面側に配置した。
【００９３】
図１２から図１７のデータが示すとおり、収納容積占有率が高いほど、飲食物より背面側の冷蔵室１００の棚の平均温度２２ａ〜２２ｄは低温になり、飲食物より扉側に位置する冷蔵室１００の扉棚の平均温度２３ａ〜２３ｃは高温になる。これは、冷却空気の扉側への供給が飲食物によって阻害されていることを示している。
【００９４】
特に、図１６および図１７に示す収納容積占有率が７０％の場合には、冷蔵室１００内の下方の棚温度である、冷蔵室１００の棚の３段目の平均温度２２ｃ、および冷蔵室１００の棚の最下段の平均温度２２ｄが０℃以下まで低下している。一方、冷蔵室１００内の上方の扉棚温度である、冷蔵室１００の扉棚の上段の平均温度２３ａは、１３℃〜１４℃を維持している。１３℃〜１４℃は、冷蔵温度帯から外れており、飲食物の劣化を促進させる温度環境となる。
【００９５】
収納容積占有率が０％、４０％、７０％のいずれの場合にも、消費電力２１の最大値は５０Ｗ程度を維持している。しかしながら、圧縮機１００１を停止して送風装置１００３のみで運転されている期間が、収納容積占有率が高いほど減少する。そのため、収納容積占有率が高いほど、消費電力量は増加することが示されている。
【００９６】
ここで、図１３、図１５および図１７の（ｄ）に示されているように、継続的に実施される冷蔵室ダンパ１０２の開閉による冷却空気の流入量の増減に伴って、冷蔵室１００の内外差圧２４も変動する。冷蔵室１００の内外差圧２４の変動幅は、収納容積占有率が高いほど大きくなっている。
【００９７】
具体的には、図１３に示す収納容積占有率が０％の場合では、冷蔵室１００の内外差圧２４は、概ね０．５Ｐａ〜０．８Ｐａの間で変動し、変動幅Δは０．３Ｐａである。図１５に示す収納容積占有率が４０％の場合では、冷蔵室１００の内外差圧２４は、概ね０．１Ｐａ〜１．１Ｐａの間で変動し、変動幅Δは１．０Ｐａである。図１７に示す収納容積占有率が７０％の場合では、冷蔵室１００の内外差圧２４は、概ね−０．４Ｐａ〜１．５Ｐａの間で変動し、変動幅Δは１．９Ｐａである。このように、収納容積占有率が高いほど、すなわち冷蔵室１００内の余剰容積が小さいほど、冷却空気の供給時における冷蔵室１００の内外差圧２４の最大値が増加するとともに、冷却空気の停止時に冷蔵室１００の内外差圧２４の最小値が減少していることが示されている。このように、冷蔵室１００の内外差圧２４の変動幅および絶対値は、収納容積占有率と相関がある。すなわち、冷蔵室１００の内外差圧２４の変動幅および絶対値は、冷蔵室１００に収納された飲食物の体積と相関がある。したがって、貯蔵室内圧力検出装置６により検出される冷蔵室１００の内外差圧２４の変動幅または絶対値に基づいて、冷蔵室１００に収納された飲食物の体積を推定することが可能となる。冷却負荷推定手段７は、そのようにして推定される冷蔵室１００内の飲食物の体積または収納容積占有率が大きいほど、飲食物の冷却負荷が高いと推定する。
【００９８】
また、冷蔵室１００内の温度、特に冷蔵室１００の扉棚の上段の平均温度２３ａに示されているように、収納容積占有率による変化が大きい位置における温度を測定することにより、冷却のしにくさが推定できる。このため、冷却負荷推定手段７は、貯蔵室内温度検出装置５により検出される扉側上方温度が高いほど、飲食物の冷却負荷が高いと推定する。
【００９９】
冷却負荷推定手段７で推定された冷蔵室１００の冷却負荷が大きい場合には、冷蔵室１００の設定温度を上昇させると、冷蔵室１００内の飲食物の温度が上昇し易く、当該飲食物の保存品質が損なわれ易い。このため、冷却負荷推定手段７で推定された冷蔵室１００の冷却負荷が大きい場合には、冷蔵室１００の冷却を抑制する制御を避けることが望ましい。そこで、本実施の形態２では、制御手段３は、冷却負荷推定手段７で推定された冷蔵室１００の冷却負荷が予め設定された高負荷判定値より大きく、かつ、使用者のスケジュール情報に基づく冷却抑制制御の実行要求を記憶手段２から受信した場合には、冷蔵室１００の冷却を抑制する制御に代えて、冷蔵室１００以外の貯蔵室である製氷室２００、切替室３００、冷凍室４００および野菜室５００の少なくとも一つの冷却を抑制する制御を行う。この場合に冷蔵室１００に代わって冷却を抑制する対象となる貯蔵室を以下「他の貯蔵室」と称する。すなわち、本実施の形態２では、製氷室２００、切替室３００、冷凍室４００および野菜室５００の少なくとも一つが他の貯蔵室に相当する。圧縮機１００１、送風装置１００３および吹出風量制御装置のうちの一つまたは二つ以上を制御することにより、他の貯蔵室の冷却量を変化させることができる。このため、本実施の形態２では、圧縮機１００１、送風装置１００３および吹出風量制御装置のうちの一つまたは二つ以上が、他の貯蔵室の冷却量を可変にする他貯蔵室冷却量可変手段に相当する。
【０１００】
制御手段３は、他の貯蔵室の設定温度を上昇させることにより、他の貯蔵室の冷却を抑制する。制御手段３は、冷蔵室１００に代えて他の貯蔵室の冷却を抑制する場合には、圧縮機１００１の回転速度および送風装置１００３の送風量を減少させる信号を送信し、他の貯蔵室の設定温度を上昇させる。これにより、消費電力レベルを低減することが可能となる。また、冷蔵室ダンパ１０２の開率を大きくすることにより、冷蔵室１００を優先的に冷却し、冷蔵室１００内に収納された飲食物の保存品質を維持することができる。本実施の形態２の制御の詳細な動作について、図１８に示すフローチャートを参照して、以下に詳細に説明する。
【０１０１】
図１８は、本発明の実施の形態２の冷蔵庫１０００の制御を示すフローチャートである。ステップＳ４０において、制御手段３は通常冷却運転モードにあり、各貯蔵室に対して通常の冷却運転を行っている。この通常の冷却運転中において、制御手段３は、冷却負荷推定手段７で推定された冷蔵室１００の冷却負荷が予め設定された高負荷判定値よりも大きいかどうかを判定する（ステップＳ４１）。このステップＳ４１では、制御手段３は、例えば、冷蔵室１００内が過負荷状態で、設定温度を１℃でも上昇することができない場合かどうかを判定する。ここで１℃とした設定温度上昇幅の閾値は、１℃を超えても、１℃未満でも良いことは言うまでもない。
【０１０２】
冷却負荷推定手段７で推定された冷蔵室１００の冷却負荷が高負荷判定値より小さいと制御手段３が判定した場合（ステップＳ４１のＮＯ）には、制御手段３は、使用者のスケジュール情報に基づき、冷蔵室１００の冷却を抑制する冷却抑制制御を行う。この場合の使用者のスケジュール情報に基づく冷蔵室１００の冷却抑制制御は、例えば実施の形態１の図７から図９と同様の方法で行うことができるため、ここでは説明を省略する。
【０１０３】
一方、冷却負荷推定手段７で推定された冷蔵室１００の冷却負荷が高負荷判定値より大きいと制御手段３が判定した場合（ステップＳ４１のＹＥＳ）には、制御手段３は、ステップＳ４２に進む。ステップＳ４２で、制御手段３は、使用者のスケジュール情報に基づき、冷却抑制制御すなわち節電運転の実行要求の有無を判定する。このステップＳ４２では、制御手段３は、例えば、現時点が定期外出時間帯または睡眠時間帯に該当する場合には冷却抑制制御の実行要求が有ると判定し、現時点が定期外出時間帯および睡眠時間帯のいずれにも該当しない場合には冷却抑制制御の実行要求が無いと判定する。
【０１０４】
制御手段３は、冷却抑制制御の実行要求が無いと判定した場合には、最初のステップＳ４０に戻り、通常の冷却運転を継続する（ステップＳ４２のＮＯ）。
【０１０５】
一方、制御手段３は、冷却抑制制御の実行要求が有ると判定した場合（ステップＳ４２のＹＥＳ）には、他の貯蔵室の冷却を抑制する冷却抑制制御モードを設定する（ステップＳ４３）。他の貯蔵室の冷却を抑制する冷却抑制制御モードは、圧縮機１００１、送風装置１００３および吹出風量制御装置の少なくとも一つ（他貯蔵室冷却量可変手段）を制御することにより、他の貯蔵室の設定温度を上昇させて、この上昇された設定温度に向けて他の貯蔵室の室内温度を上昇させる制御を行うものである。
【０１０６】
図１８には図示されていないが、ステップＳ４２のＹＥＳの場合において、他の貯蔵室の冷却を抑制する冷却抑制制御モードを設定する前に、冷蔵庫１０００の扉の開閉が過去所定時間内にないかどうかを判定しても良い。ここでの所定時間とは、例えば３０分間として、扉が３０分間開閉しなければ、ステップＳ４３に進み、他の貯蔵室の冷却を抑制する冷却抑制制御モードを設定する。また、扉の開閉を判定する時間は３０分より短くても長くてもよく、使用者が任意に設定できるものである。
【０１０７】
さらに、図１８には図示されていないが、ステップＳ４２のＹＥＳの場合において、他の貯蔵室の冷却を抑制する冷却抑制制御モードを設定する前に、他の貯蔵室の冷却負荷を推定しても良い。他の貯蔵室の冷却負荷が所定値よりも高い場合には、冷蔵室１００および他の貯蔵室以外のさらに別の貯蔵室の冷却負荷を判定する。このようにして、冷蔵庫１０００の各貯蔵室の冷却負荷を順次推定し、推定された冷却負荷が所定値よりも小さい貯蔵室の冷却を抑制する冷却抑制制御モードを設定しても良い。これにより、冷却負荷を各貯蔵室で判定できるため、貯蔵室内の飲食物の保存品質をより確実に維持しながら、節電運転を実施することができる。
【０１０８】
ステップＳ４３の次に、制御手段３は、使用者のスケジュール情報に基づき、冷却抑制制御の実行要求の有無を再度判定する（ステップＳ４４）。このステップＳ４４では、制御手段３は、例えば、現時点が定期外出時間帯または睡眠時間帯に該当する場合には冷却抑制制御の実行要求が有ると判定し、現時点が定期外出時間帯および睡眠時間帯のいずれにも該当しない場合には冷却抑制制御の実行要求が無いと判定する。
【０１０９】
制御手段３は、冷却抑制制御の実行要求が有ると判定した場合は、他の貯蔵室の冷却を抑制する冷却抑制制御モードを継続する（ステップＳ４４のＹＥＳ）。一方、制御手段３は、冷却抑制制御の実行要求が無いと判定した場合（ステップＳ４４のＮＯ）は、他の貯蔵室の冷却を抑制する冷却抑制制御モードを解除して、通常冷却運転モードを再開する（ステップＳ４５）。ステップＳ４５では、各貯蔵室の設定温度を冷却抑制制御モードの開始前の温度に戻す。
【０１１０】
上述したように、特定の貯蔵室（冷蔵室１００）の冷却負荷が高く、特定の貯蔵室の冷却抑制制御すなわち節電運転を実施することができない場合であっても、特定の貯蔵室とは異なる他の貯蔵室に対して冷却抑制制御を実施することにより、冷却負荷が高い場合においても節電運転を実施することができ、節電効果が得られる。
【０１１１】
図１９は、本発明の実施の形態２の冷蔵庫１０００の変形例の制御を示すフローチャートである。図１９に示すフローチャートを参照して、本実施の形態２の変形例について、以下に詳細に説明する。
【０１１２】
冷却負荷推定手段７で推定された冷蔵室１００の冷却負荷が小さい場合、例えば冷蔵室１００に収納された飲食物が少なく、飲食物の熱容量が小さい場合には、冷蔵室１００の設定温度を上昇させても、冷蔵室１００内の飲食物の温度が上昇しにくく、当該飲食物の保存品質が損なわれにくい。そこで、本実施の形態２の変形例では、制御手段３は、使用者のスケジュール情報に基づき冷蔵室１００の冷却を抑制する冷却抑制制御を実行するとき、冷却負荷推定手段７で推定された冷蔵室１００の冷却負荷が予め設定された低負荷判定値より小さい場合には、当該冷却負荷がこの低負荷判定値より大きい場合に比べて、冷蔵室１００の冷却をさらに抑制する高抑制制御を行う。例えば、制御手段３は、冷蔵室１００の高抑制制御では、冷蔵室１００の通常の冷却抑制制御に比べて、冷蔵室１００の設定温度の上昇幅をさらに大きくする。これにより、大幅な節電効果を得ることができる。
【０１１３】
図１９のステップＳ５０において、制御手段３は通常冷却運転モードにあり、各貯蔵室に対して通常の冷却運転を行っている。この通常の冷却運転中において、制御手段３は、冷却負荷推定手段７で推定された冷蔵室１００の冷却負荷が予め設定された低負荷判定値よりも小さいかどうかを判定する（ステップＳ５１）。
【０１１４】
冷却負荷推定手段７で推定された冷蔵室１００の冷却負荷が低負荷判定値より大きいと制御手段３が判定した場合（ステップＳ５１のＮＯ）には、制御手段３は、使用者のスケジュール情報に基づき、冷蔵室１００の冷却を抑制する冷却抑制制御を行う。この場合の使用者のスケジュール情報に基づく冷蔵室１００の冷却抑制制御は、例えば実施の形態１の図７から図９と同様の方法で行うことができるため、ここでは説明を省略する。このステップＳ５１のＮＯの場合の冷蔵室１００の冷却抑制制御を以下「通常の冷却抑制制御」と称する。
【０１１５】
一方、冷却負荷推定手段７で推定された冷蔵室１００の冷却負荷が低負荷判定値より小さいと制御手段３が判定した場合（ステップＳ５１のＹＥＳ）には、制御手段３は、ステップＳ５２に進む。ステップＳ５２で、制御手段３は、使用者のスケジュール情報に基づき、冷却抑制制御すなわち節電運転の実行要求の有無を判定する。このステップＳ５２では、制御手段３は、例えば、現時点が定期外出時間帯または睡眠時間帯に該当する場合には冷蔵室１００の冷却を抑制する冷却抑制制御の実行要求が有ると判定し、現時点が定期外出時間帯および睡眠時間帯のいずれにも該当しない場合には冷蔵室１００の冷却を抑制する冷却抑制制御の実行要求が無いと判定する。
【０１１６】
制御手段３は、冷却抑制制御の実行要求が無いと判定した場合には、最初のステップＳ５０に戻り、通常の冷却運転を継続する（ステップＳ５２のＮＯ）。
【０１１７】
一方、制御手段３は、冷却抑制制御の実行要求が有ると判定した場合（ステップＳ５２のＹＥＳ）には、ステップＳ５１のＮＯの場合の冷蔵室１００の冷却抑制制御に比べて冷蔵室１００の冷却をさらに抑制する高抑制制御モードを設定する（ステップＳ５３）。この高抑制制御モードでは、制御手段３は、圧縮機１００１、送風装置１００３および冷蔵室ダンパ１０２の少なくとも一つを制御して、冷蔵室１００の冷却を通常の冷却抑制制御よりもさらに抑制する。例えば、通常の冷却抑制制御では冷蔵室１００の設定温度を２℃上昇させる設定の場合には、高抑制制御では冷蔵室１００の設定温度を３℃上昇させる。すなわち、通常の冷却抑制制御の設定温度に対して、高抑制制御では１℃高い設定温度を設定することになる。また、設定温度の上昇幅は、予め設定されている温度範囲であれば、何℃でも良い。通常の冷却抑制制御に対する高抑制制御の設定温度の上昇幅も、１℃を超えても、１℃未満でも良い。
【０１１８】
また、図１９には図示されていないが、ステップＳ５２のＹＥＳの場合において、高抑制制御モードを設定する前に、冷蔵庫１０００の扉の開閉が過去所定時間内にないかどうかを判定しても良い。ここでの所定時間とは、例えば３０分間として、扉が３０分間開閉しなければ、ステップＳ５３に進み、高抑制制御モードを設定する。また、扉の開閉を判定する時間は３０分より短くても長くてもよく、使用者が任意に設定できるものである。
【０１１９】
ステップＳ５３の次に、制御手段３は、使用者のスケジュール情報に基づき、冷却抑制制御の実行要求の有無を再度判定する（ステップＳ５４）。このステップＳ５４では、制御手段３は、例えば、現時点が定期外出時間帯または睡眠時間帯に該当する場合には冷却抑制制御の実行要求が有ると判定し、現時点が定期外出時間帯および睡眠時間帯のいずれにも該当しない場合には冷却抑制制御の実行要求が無いと判定する。
【０１２０】
制御手段３は、冷却抑制制御の実行要求が有ると判定した場合は、高抑制制御モードを継続する（ステップＳ５４のＹＥＳ）。一方、制御手段３は、冷却抑制制御の実行要求が無いと判定した場合（ステップＳ５４のＮＯ）は、高抑制制御モードを解除して、通常冷却運転モードを再開する（ステップＳ５５）。ステップＳ５５では、冷蔵室１００の設定温度を高抑制制御モードの開始前の温度に戻す。
【０１２１】
上述したように、使用者のスケジュール情報に基づく冷却抑制制御の実行要求があるとき、貯蔵室（冷蔵室１００）の冷却負荷が低い場合には、貯蔵室（冷蔵室１００）の冷却を通常の冷却抑制制御モードよりもさらに抑制する高抑制制御モードを設定することにより、より高い節電効果を得ることができる。
【０１２２】
また、本実施の形態２の他の実施例としては、記憶手段２から設定温度の低下、すなわち急冷指示を受信した際、冷却負荷推定手段７において、例えば冷蔵室１００内の冷却負荷が大きいと判定された場合には、冷蔵室ダンパ１０２の開率を大きくして冷蔵室１００を優先的に冷却したうえで、圧縮機１００１の回転速度および送風装置１００３の送風量を増加させる信号を送信することにより、消費電力レベルの増加を必要最小限に抑制することが可能となる。
【０１２３】
逆に、冷却負荷推定手段７において冷却負荷が小さいと判定された場合、例えば貯蔵室内の収納容積占有率が高くても低温状態が維持されている場合には、記憶手段２が指示した圧縮機１００１の回転速度および送風装置１００３の送風量まで増加させなくても、すなわち過剰な冷却運転を行うことなく、目標とする低温環境を形成することが可能となる。
【０１２４】
図１０および図１１では、貯蔵室内に貯蔵室内温度検出装置５および貯蔵室内圧力検出装置６を設置し、扉側上方温度および貯蔵室内圧力に基づき、冷却負荷推定手段７において、貯蔵室内の飲食物の冷却負荷を判定している。しかしながら、図１２から図１７に示されているように、扉側上方温度および貯蔵室内圧力のどちらか一方だけでも、貯蔵室内の飲食物の冷却負荷が推定できる。このため、冷蔵庫１０００は、貯蔵室内温度検出装置５および貯蔵室内圧力検出装置６のいずれかを備えなくてもよい。貯蔵室内温度検出装置５および貯蔵室内圧力検出装置６のいずれかを省略した場合も、制御手段３に飲食物の冷却負荷を反映できるので、低コストで冷却負荷を反映させる上述の効果が得られる。
【０１２５】
また、図１０および図１１において、冷却負荷推定手段７が貯蔵室内の飲食物の冷却負荷を判定する場合、一時的な貯蔵室内温度上昇の要因となる扉開閉履歴を反映するのが望ましい。冷蔵庫１０００には扉の開閉を検出するマグネット式の開閉スイッチなどの扉開閉検出手段８が一般的に設置されている。また、扉の開閉によって貯蔵室内の圧力が変化するので、貯蔵室内圧力検出装置６によっても扉開閉を検知することができる。このため、特別に検知装置を追加することなく、扉開閉履歴データを入手することができる。したがって、扉開閉による一時的な温度上昇または圧力低下の影響を考慮して、より精度良く飲食物の冷却負荷を判定することが可能となる。
【０１２６】
また、図１０および図１１では、操作パネル１にて入力され、記憶手段２において管理される使用者のスケジュール情報、および冷却負荷推定手段７から受信した飲食物の冷却負荷をもとに、制御手段３が圧縮機１００１、送風装置１００３、および冷蔵室ダンパ１０２に制御信号を送る構成となっている。使用者が在宅しているか外出すなわち不在であるか、使用者の生活パターン、使用者世帯の買い物パターン（飲食物購入予定情報）などの使用者のスケジュール情報は、冷蔵庫１０００の扉開閉、貯蔵室に収納された飲食物の量、および貯蔵室の室内温度に反映される。このため、冷蔵庫１０００の扉の開閉に関する情報の履歴、貯蔵室に収納された飲食物の体積に関する情報（例えば収納容積占有率）の履歴、および貯蔵室の室内温度に関する情報の履歴のうちの少なくとも一つに基づいて、制御手段３が使用者のスケジュールを推定することが可能である。
【０１２７】
例えば、使用者が不在の場合は扉が開閉されない。共働き家庭などでは、買い物が集中する週末に、貯蔵室に収納された飲食物の体積が増加する傾向が表れる。このため、貯蔵室内温度検出装置５により検出される温度、貯蔵室内圧力検出装置６により検出される収納容積占有率、および、貯蔵室内圧力検出装置６または扉開閉検出手段８により検出される扉開閉情報の少なくとも一つに基づいて、操作パネル１にて入力せずに、使用者のスケジュールを推定することが可能となる。また、制御手段３は、冷蔵庫１０００の扉の開閉に関する情報の履歴、貯蔵室に収納された飲食物の体積に関する情報（例えば収納容積占有率）の履歴、および貯蔵室の室内温度に関する情報の履歴のうちの少なくとも一つを反映させて、記憶手段２に記憶された使用者のスケジュール情報を更新すなわち修正しても良い。例えば、制御手段３は、冷蔵庫１０００の扉の開閉頻度、貯蔵室に収納された飲食物の体積（収納容積占有率）、または貯蔵室の室内温度が週末に上昇する傾向があることを検知した場合には、記憶手段２に記憶された買い物パターンの情報が、週末にまとめて買い物をするパターンになるように更新すなわち修正することができる。
【０１２８】
また、実施の形態１と同様に、操作パネル１の表示手段１０には、入力された使用者のスケジュール、記憶手段２の指示により変更された制御内容の他に、冷却負荷推定手段７によって推定された、貯蔵室内の冷却負荷情報も併せて表示することができる。使用者のスケジュールと、それに対応した制御内容と、そのときの冷却負荷状況とを表示することにより、使用者が自動制御内容を確認できるだけでなく、使用者に冷却負荷と消費電力の相関を明示することができ、収納方法に関する節電行動を啓蒙することが可能になるという効果が得られる。
【０１２９】
本実施の形態２では、操作パネル１の入力手段９および表示手段１０の両方または一方が冷蔵庫１０００の本体に対して別体として設けられても良い。その場合、操作パネル１の入力手段９および表示手段１０の両方または一方が冷蔵庫１０００の本体に対して着脱自在になっていても良いし、操作パネル１の入力手段９および表示手段１０の両方または一方が冷蔵庫１０００の本体に装着できない構造でも良い。操作パネル１の入力手段９および表示手段１０の両方または一方が冷蔵庫１０００の本体に対して別体として設けられた場合には、操作パネル１の入力手段９および表示手段１０の両方または一方は、制御装置１００４と有線または無線によって通信を行う。この場合、使用者は、遠距離から冷蔵庫１０００の運転情報および異常状態を確認できるだけでなく、例えば買い物中に過負荷状態を確認できるため、保管できない買い物を抑制するなどの利便性が向上するという効果も得られる。
【０１３０】
なお、本実施の形態２では、冷蔵室１００に貯蔵室内温度検出装置５および貯蔵室内圧力検出装置６を設置する構成を例に説明したが、これらの構成を適用する貯蔵室は任意であり、複数の貯蔵室に適用してもよい。どの貯蔵室の冷却負荷を判定しても同様の効果が得られ、特にすべての貯蔵室の冷却負荷を反映できれば、より精度の高い冷却運転制御が可能となるうえ、各貯蔵室の冷却負荷を個別に検知することができるので、例えば冷凍室４００は扉開閉がなく、冷却負荷の変動もほとんどないが、野菜室５００の冷却負荷変動が大きいなどの履歴から、使用者の生活パターンまたは買い物パターンを、より詳細に推定することができるという効果が得られる。
【０１３１】
以上のことより、本実施の形態２では、貯蔵室内の冷却負荷を推定する冷却負荷推定手段を設けたことで、使用者のスケジュール情報と冷却負荷の両方を考慮して、貯蔵室の節電運転を制御することができるため、貯蔵室内の飲食物の保存品質を維持しながら、高い節電効果を得ることができる。なお、実施の形態１にて奏する効果は、本実施の形態２においても、同様に奏することは明らかである。
【０１３２】
実施の形態３．
図２０は、本発明の実施の形態３の宅内システム（冷蔵庫管理システム）２０００の構成図である。なお、本実施の形態３で特に記述しない項目については実施の形態１または実施の形態２と同様とし、同一の機能または構成については同一の符号を用いて述べることとする。
【０１３３】
図２０に示すように、宅内システム（冷蔵庫管理システム）２０００は、冷蔵庫１０００と、この冷蔵庫１０００が設置される住宅で用いられる１または複数の他の電気機器と、電力計測装置２００２と、宅内コントローラ２００４とを有する。図２０では、冷蔵庫１０００が設置される住宅で用いられる他の電気機器として、ルームエアコン３００１、給湯器３００２、ＩＨクッキングヒータ３００３および電子レンジ３００４の４つを例示するが、本発明の冷蔵庫管理システムは冷蔵庫１０００が設置される住宅で用いられる他の電気機器を少なくとも一つ備えれば良い。以下の説明では、冷蔵庫１０００、ルームエアコン３００１、給湯器３００２、ＩＨクッキングヒータ３００３および電子レンジ３００４を総称する場合、便宜上、各家電機器１０００，３００１〜３００４と呼ぶ。各家電機器１０００，３００１〜３００４および電力計測装置２００２は、電力線を介して系統電源２００１と接続され、系統電源２００１から電力を供給されている。
【０１３４】
電力計測装置２００２は、各家電機器１０００，３００１〜３００４に供給される電力（具体的には、消費電力）の情報、および系統電源２００１から供給される全電力情報を、例えば、ＣＴ（Ｃｕｒｒｅｎｔ  Ｔｒａｎｓｆｏｒｍｅｒ：計器用変流器）などの電力計測端子２００３によって計測し、履歴を保存することができる。
【０１３５】
また、各家電機器１０００，３００１〜３００４および電力計測装置２００２には、宅内コントローラ（単にコントローラとも呼ぶ）２００４と有線または無線で双方向通信するための通信手段４が、内蔵され、または外部に接続されている。通信手段４は、有線で通信する場合は、例えば、シリアルインターフェースまたはドライバ、無線で通信する場合は、例えば、Ｗｉ−Ｆｉ（登録商標）やＢｌｕｅｔｏｏｔｈ（登録商標）などの通信モジュールが具備されている。
【０１３６】
宅内コントローラ２００４は、電力計測装置２００２から受信した各家電機器１０００，３００１〜３００４の消費電力および系統電源２００１の供給電力の情報と、各家電機器１０００，３００１〜３００４から受信した運転状態の情報とを管理する。宅内コントローラ２００４は、その管理した情報に基づいて、各家電機器１０００，３００１〜３００４に対して制御変更指示を送信することが可能である。
【０１３７】
図２１は、本発明の実施の形態３の冷蔵庫１０００および宅内コントローラ２００４の機能ブロック図である。図２１において、冷蔵庫１０００の制御装置１００４は、記憶手段２および制御手段３と共に、図２０に示した通信手段４を有する。通信手段４は、記憶手段２、入力手段９および宅内コントローラ２００４と接続されている。通信手段４は、冷蔵庫１０００の運転状態（例えば、消費電力情報）を宅内コントローラ２００４に送信する。また、通信手段４は、宅内コントローラ２００４からの他の家電機器３００１〜３００４の電力情報（例えば、消費電力情報）、または、冷蔵庫１０００の制御を変更する制御変更指示を受信して、記憶手段２を経由して、操作パネル１の表示手段１０に電力情報を送信し、制御手段３に制御変更指示を送信することが可能な構成となっている。
【０１３８】
なお、操作パネル１（入力手段９および表示手段１０を含む）は、冷蔵室１００の扉または他の貯蔵室の扉に設置されるものに限らず、冷蔵庫１０００の本体に対して別体として設けられても良い。その場合、操作パネル１の入力手段９および表示手段１０の両方または一方が冷蔵庫１０００の本体に対して着脱自在になっていても良いし、操作パネル１の入力手段９および表示手段１０の両方または一方が冷蔵庫１０００の本体に装着できない構造でも良い。操作パネル１は、例えば、通信手段４を介して無線で通信可能なタブレット端末でも良い。さらに、操作パネル１の入力手段９と表示手段１０とを別体とし、入力手段９および表示手段１０のいずれか一方が冷蔵庫１０００の本体に設置され、他方が冷蔵庫１０００の本体とは別体に設けられていても良い。
【０１３９】
次に、図２０および図２１を用いて動作の一例について説明する。動作についても、実施の形態１または実施の形態２と同一の箇所については説明を割愛する。
【０１４０】
図２０において、各家電機器１０００，３００１〜３００４は、系統電源２００１から電力を供給されて運転を実施し、継続的に、あるいは要求があった際に、通信手段４によって、有線または無線通信にて宅内コントローラ２００４に運転状態の情報を送信する。冷蔵庫１０００における運転状態の情報としては、例えば、各貯蔵室の設定温度、実際の貯蔵室内温度の履歴、製氷運転または急冷運転の有無などの運転モード、給水タンクの空状態、扉の開状態などのアラート情報等がある。
【０１４１】
このとき、電力計測端子２００３によって、各家電機器１０００，３００１〜３００４に供給されている電流を測定し、電力計測装置２００２において、各家電機器１０００，３００１〜３００４の消費電力および系統電源２００１の供給電力を算出し、通信手段４によって、有線または無線通信にて宅内コントローラ２００４に電力情報を送信する。
【０１４２】
宅内コントローラ２００４は、電力計測装置２００２から受信した各家電機器１０００，３００１〜３００４の消費電力および系統電源２００１の供給電力の情報と、各家電機器１０００，３００１〜３００４から受信した運転状態の情報とを管理する。また、宅内コントローラ２００４は、それらの情報に基づいて、各家電機器１０００，３００１〜３００４に対して制御変更指示を送信する。
【０１４３】
例えば、宅内コントローラ２００４は、各家電機器１０００，３００１〜３００４の消費電力の合計が、系統電源２００１の供給容量に迫っている場合には、特に消費電力の大きい家電機器に対して節電指示を送信する。また、宅内コントローラ２００４は、冷蔵庫１０００に関しては、貯蔵室の設定温度と実際の貯蔵室内温度履歴とから、冷却過剰と判断された場合に、設定温度の上昇を指示することができる。
【０１４４】
図２０および図２１に示した冷蔵庫１０００単体としては、実施の形態１と同様に、記憶手段２が、操作パネル１の入力手段９にて入力された使用者のスケジュール情報に基づいて、圧縮機１００１、送風装置１００３および吹出風量制御装置を制御する制御手段３に制御変更指示を送ることにより、各貯蔵室の設定温度を変更することが可能である。
【０１４５】
さらに、本実施の形態３では、冷蔵庫１０００の制御装置１００４は、通信手段４を介して、宅内コントローラ２００４から、電力計測装置２００２より受信した、宅内システム２０００内の各家電機器１０００，３００１〜３００４の消費電力の情報および運転情報、並びに系統電源２００１の供給電力などの情報を受信することが可能な構成となっている。
【０１４６】
図２２から図２４は、本発明の実施の形態３の宅内システム２０００における各家電機器１０００，３００１〜３００４の消費電力レベルを示す履歴データの一例である。
【０１４７】
図２２から図２４は、図２０に示した宅内システム２０００において、電力計測装置２００２が計測した各家電機器１０００，３００１〜３００４の消費電力レベルおよび宅内システム２０００の合計消費電力レベルの１日の履歴データを模擬したものである。すなわち、図２２（ａ）は宅内システム２０００の合計、図２２（ｂ）は冷蔵庫１０００、図２３（ｃ）はルームエアコン３００１、図２３（ｄ）は給湯器３００２、図２４（ｅ）はＩＨクッキングヒータ３００３、図２４（ｆ）は電子レンジ３００４、にそれぞれ対応する。
【０１４８】
図２２から図２４において、１７ａ，１７ｂは、電力計測装置２００２が計測した消費電力レベルの履歴の模擬データである。より詳しくは、１７ａは、通常運転時の消費電力レベルの履歴であり、１７ｂは、冷蔵庫１０００の冷却制御変更後の消費電力レベルの履歴である。なお、宅内システム２０００は、図４から図６と同様に、共働き家庭の住居に設置され、昼間（８：００〜１８：００）は宅内が不在となることを想定している。
【０１４９】
図２４に示すように、調理に使用されるＩＨクッキングヒータ３００３および電子レンジ３００４の消費電力レベルは、朝食時（６：００〜８：００）および夕食時（１８：００〜２０：００）に突発的に上昇する。
【０１５０】
図２３（ｃ）に示すように、ルームエアコン３００１は、朝食時と重なる起床時、および夕食時と重なる帰宅時に起動して消費電力レベルが急激に大きくなり、その後は比較的低い消費電力レベルで定常運転を継続する。図２３（ｄ）に示すように、給湯器３００２の消費電力レベルは、夜間の入浴時に若干上昇する。それ以外に、給湯器３００２は、深夜時間帯に沸き上げを行って貯湯することで消費電力レベルが高くなる。
【０１５１】
図２２（ｂ）に示すように、冷蔵庫１０００は、朝食時および夕食時には扉開閉が頻発するので、温度上昇を回避するために急冷運転し、通常運転時の消費電力レベル１７ａは上昇する。以上のようなことから、図２２（ａ）に示すように、通常運転時の宅内システム２０００の合計の消費電力レベル１７ａは、朝食時および夕食時に集中的に上昇することになる。
【０１５２】
さらに、図２２（ｂ）では、冷蔵庫１０００において、霜取運転が夜間（２１：００〜２３：００）に実施されることを想定しているが、霜取運転が朝食時あるいは夕食時に重なった場合、供給電力を逼迫する可能性が高くなる。
【０１５３】
このとき、宅内コントローラ２００４は、電力計測装置２００２から各家電機器１０００，３００１〜３００４の消費電力情報および系統電源２００１の供給電力情報を受信し、各家電機器１０００，３００１〜３００４の消費電力の合計が系統電源２００１の供給容量に迫っている場合に、通信手段４を介して、各家電機器１０００，３００１〜３００４に対して節電指示を送信する。
【０１５４】
例えば、朝食時および夕食時においては、調理を実施しているＩＨクッキングヒータ３００３および電子レンジ３００４は、節電指示を受け入れることは困難であるが、その時間帯に高消費電力運転をする必然性のない、冷蔵庫１０００およびルームエアコン３００１は節電運転を実施することが可能である。
【０１５５】
そこで、冷蔵庫１０００においては、例えば、朝食時または夕食時に冷蔵室１００の扉開閉が頻発した場合に、制御手段３から、急冷運転を解除して冷却抑制制御運転に移行し、冷蔵室ダンパ１０２の開率を大きくし、冷蔵室１００とは異なる他の貯蔵室のダンパの開率を小さくし、圧縮機１００１の回転速度および送風装置１００３の送風量を減少させる信号を送信し、冷蔵室１００に集中的に冷却空気を流入させる。これにより、図２２の冷却制御変更後の消費電力レベル１７ｂに示したように、朝食時および夕食時の冷蔵庫１０００の消費電力レベル、および宅内システム２０００合計の消費電力レベルを低減することが可能となる。
【０１５６】
図２５は、本発明の実施の形態３の宅内システム２０００が備える冷蔵庫１０００の制御を示すフローチャートである。冷蔵庫１０００に対する節電指示があったときに冷蔵庫１０００が通常冷却運転モードであった場合の具体的な制御手順について、図２５のフローチャートを参照して、以下に詳細に説明する。
【０１５７】
ステップＳ６０において、冷蔵庫１０００は、通常冷却運転モードにあり、貯蔵室（例えば冷蔵室１００）を通常に冷却する運転を行っている。この通常冷却運転中においては、制御手段３または宅内コントローラ２００４が、各家電機器１０００，３００１〜３００４の消費電力情報を受信し、その消費電力の合計が予め設定された所定値よりも高いかどうかを判定する（ステップＳ６１）。
【０１５８】
ここでの消費電力が所定値よりも高い場合とは、例えば、各家電機器１０００，３００１〜３００４の使用が集中する時間帯であって、各家電機器１０００，３００１〜３００４の消費電力の合計が、電源（ここでは系統電源２００１）からの供給電力の９０％以上になった場合である。また、上記所定値は、電源からの供給電力の９０％でなくても良く、９０％を超えても、９０％未満でも良い。また、電源は、系統電源２００１に限定されるものではなく、他の電源、例えば太陽光発電装置、蓄電池等のいずれか一つでも良いし、または複数の電源を組み合わせて電力を供給しても良い。
【０１５９】
この判定の結果、制御手段３または宅内コントローラ２００４が、各家電機器１０００，３００１〜３００４の消費電力の合計が所定値よりも低いと判定した場合（ステップＳ６１のＮＯ）には、最初のステップＳ６０に戻る。すなわち、冷蔵庫１０００は通常の冷却運転モードを継続する。
【０１６０】
一方、制御手段３または宅内コントローラ２００４が、各家電機器１０００，３００１〜３００４の消費電力の合計が所定値よりも高いと判定した場合（ステップＳ６１のＹＥＳ）には、ステップＳ６２に進む。ステップＳ６２で、冷蔵庫１０００は、冷蔵室１００の冷却を抑制する冷却抑制制御モードを設定する（ステップＳ６２）。
【０１６１】
ここでの冷却抑制制御モードとは、上述の冷却抑制制御モードと同様に、例えば、冷蔵室１００の室内温度の設定温度を２℃上昇させて、この上昇された設定温度を維持するように冷蔵室１００の室内温度を制御する。
【０１６２】
次に、制御手段３または宅内コントローラ２００４が、各家電機器１０００，３００１〜３００４の消費電力の合計が所定値よりも低くなったかどうかを判定する（ステップＳ６３）。
【０１６３】
この判定の結果、制御手段３または宅内コントローラ２００４が、各家電機器１０００，３００１〜３００４の消費電力の合計が所定値よりも高いと判定した場合（ステップＳ６３のＮＯ）には、ステップＳ６２に戻り、冷却抑制制御モードを継続する。
【０１６４】
一方、制御手段３または宅内コントローラ２００４が、各家電機器１０００，３００１〜３００４の消費電力の合計が所定値よりも低いと判定した場合（ステップＳ６３のＹＥＳ）には、ステップＳ６４に進む。ステップＳ６４で、冷蔵庫１０００は、冷却抑制制御モードを解除して、通常冷却運転モードを再開し、冷却抑制制御モードの制御開始前の貯蔵室の設定温度に設定する。
【０１６５】
以上のことから、住宅内の各家電機器１０００，３００１〜３００４の消費電力が住宅の電源の供給電力に対して逼迫するときには、冷蔵庫１０００に対して節電指示を出すことができ、冷蔵庫１０００の冷却を抑制する制御を行うことで、冷蔵庫１０００による節電効果によって、消費電力が低減するという効果が得られる。
【０１６６】
図２６は、本発明の実施の形態３の宅内システム２０００が備える冷蔵庫１０００の制御を示すフローチャートである。冷蔵庫１０００に対する節電指示があったときに冷蔵庫１０００が冷却促進制御モード（急冷運転）であった場合の具体的な制御手順について、図２６のフローチャートを参照して、以下に詳細に説明する。
【０１６７】
ステップＳ７０において、冷蔵庫１０００は、冷却促進制御モードにあり、貯蔵室（例えば冷蔵室１００）の冷却を促進する急冷運転を行っている。この急冷運転中においては、制御手段３または宅内コントローラ２００４が、各家電機器１０００，３００１〜３００４の消費電力情報を受信し、その消費電力の合計が予め設定された所定値よりも高いかどうかを判定する（ステップＳ７１）。
【０１６８】
ここでの消費電力が所定値よりも高い場合とは、例えば、各家電機器１０００，３００１〜３００４の使用が集中する時間帯であって、各家電機器１０００，３００１〜３００４の消費電力の合計が、電源（ここでは系統電源２００１）からの供給電力の９０％以上になった場合である。また、上記所定値は、電源からの供給電力の９０％でなくても良く、９０％を超えても、９０％未満でも良い。また、電源は、系統電源２００１に限定されるものではなく、他の電源、例えば太陽光発電装置、蓄電池等のいずれか一つでも良いし、または複数の電源を組み合わせて電力を供給しても良い。
【０１６９】
この判定の結果、制御手段３または宅内コントローラ２００４が、各家電機器１０００，３００１〜３００４の消費電力は所定値よりも低いと判定した場合（ステップＳ７１のＮＯ）には、最初のステップＳ７０に戻る。すなわち、冷蔵庫１０００は冷却促進制御モードを継続する。
【０１７０】
一方、制御手段３または宅内コントローラ２００４が、各家電機器１０００，３００１〜３００４の消費電力の合計が所定値よりも高いと判定した場合（ステップＳ７１のＹＥＳ）には、ステップＳ７２に進む。ステップＳ７２で、冷蔵庫１０００は、冷蔵室１００の冷却を抑制する冷却抑制制御モードを設定する（ステップＳ７２）。
【０１７１】
ここで、ステップＳ７１での判定前の冷蔵室１００に対する運転は冷却促進制御モードであったことから、まず、冷蔵室１００に対する冷却促進制御モード（急冷運転）を解除し、冷却抑制制御モードに移行する制御を行う。
【０１７２】
ここでの冷却抑制制御モードとは、冷蔵室１００の設定温度は上昇させずに、冷蔵室１００とは異なる他の貯蔵室の設定温度を上昇させる（例えば、２℃上昇）制御を行う。具体的な制御としては、冷蔵室ダンパ１０２の開率を大きくし、冷蔵室１００とは異なる他の貯蔵室のダンパの開率を小さくし、圧縮機１００１の回転速度および送風装置１００３の送風量を減少させ、冷蔵室１００に集中的に冷却空気を流入させる制御である。
【０１７３】
次に、制御手段３または宅内コントローラ２００４が、各家電機器１０００，３００１〜３００４の消費電力の合計が所定値よりも低くなったかどうかを判定する（ステップＳ７３）。
【０１７４】
この判定の結果、制御手段３または宅内コントローラ２００４が、各家電機器１０００，３００１〜３００４の消費電力の合計が所定値よりも高いと判定した場合（ステップＳ７３のＮＯ）には、ステップＳ７２に戻り、冷却抑制制御モードを継続する。
【０１７５】
一方、制御手段３または宅内コントローラ２００４が、各家電機器１０００，３００１〜３００４の消費電力の合計が所定値よりも低いと判定した場合（ステップＳ７３のＹＥＳ）には、冷却抑制制御モードを解除して、通常冷却運転モードを再開し、冷却抑制制御モードの制御開始前の貯蔵室の設定温度に設定する（ステップＳ７４）。
【０１７６】
以上のことから、住宅内の各家電機器１０００，３００１〜３００４の消費電力が住宅の供給電力に逼迫するときには、冷蔵庫１０００に対して節電指示を出すことができ、冷蔵室１００が冷却促進制御モードを実施しているときでも、冷蔵室１００の冷却の影響をできる限り抑えて、冷蔵庫１０００としての節電効果を得ることができる。
【０１７７】
また、制御手段３は、宅内コントローラ２００４から受信した各家電機器１０００，３００１〜３００４の消費電力情報に基づいて、各家電機器１０００，３００１〜３００４の将来の消費電力である予測消費電力情報を予測する。この予測消費電力情報は、各家電機器１０００，３００１〜３００４の過去の消費電力情報に基づいて、消費電力が増加する日時および低下する日時の傾向を分析して予測される。また、予測消費電力情報は、上記以外の予測方法でも良く、いかなる予測方法に基づいていても良い。
【０１７８】
制御手段３は、使用者のスケジュール情報に基づいて、将来の日時における冷蔵庫１０００の運転の予定を表す冷蔵庫１０００の制御スケジュールを作成する。制御手段３は、使用者のスケジュール情報に加えて、扉開閉情報などから予測される冷蔵庫１０００の使用頻度または使用状況に関する予測情報に基づいて、冷蔵庫１０００の制御スケジュールを作成しても良い。そして、制御手段３は、作成した冷蔵庫１０００の制御スケジュールを、予測消費電力情報に基づいて、更新または修正しても良い。例えば、制御手段３は、予測消費電力情報の予測消費電力が、予め設定された所定値に比べて高くなると予測される時間帯においては、当初の予定に代えて、貯蔵室の冷却を抑制する冷却抑制制御を実施する予定になるように冷蔵庫１０００の制御スケジュールを更新または修正しても良い。その場合、制御手段３は、更新または修正前の予定が使用者のスケジュール情報等に基づいて貯蔵室の冷却を促進する冷却促進制御を実施する予定であったとしても、予測消費電力情報の予測消費電力が上記所定値に比べて高くなると予測される時間帯においては、貯蔵室の冷却を抑制する冷却抑制制御を実施する予定になるように冷蔵庫１０００の制御スケジュールを更新または修正する。また、制御手段３が冷蔵庫１０００の制御スケジュールを作成、更新または修正したとき、冷蔵庫１０００の制御スケジュールを表示手段１０に表示して使用者に報知することで、冷蔵庫１０００の制御スケジュールの内容を使用者に確認させても良い。あるいは、冷蔵庫１０００の制御スケジュールの内容を使用者に報知することなく制御手段３が冷蔵庫１０００の運転を自動的に制御しても良い。さらには、冷蔵庫１０００の制御スケジュールの内容を使用者に報知するか否かを使用者が任意に設定できるようにしても良い。
【０１７９】
以上より、各家電機器１０００，３００１〜３００４の消費電力を予測し、予測消費電力が供給電力に迫っていると予測される場合に、冷蔵庫１０００の冷却を抑制することにより、冷蔵庫１０００の消費電力を低減させることができる。また、使用者の住宅内における消費電力のピークカットが可能となり、供給電力以上に電力を消費することをできるだけ防止することが可能である。また、制御手段３は、予測消費電力情報の予測消費電力が上記所定値に比べて高くなると予測される場合等には、その旨を表示手段１０に表示することで使用者に報知し、または、その旨を音声等による他の報知手段２５で使用者に報知しても良い。これにより、予測消費電力が供給電力に迫っていると予測される場合に、使用者に節電の必要性を知らせることができ、使用者の節電行動を促すことができる。
【０１８０】
また、制御手段３は、消費電力が大きくなる冷蔵庫１０００の霜取運転または急冷運転に関して、次のように制御しても良い。制御手段３は、霜取運転または急冷運転の運転履歴からそれらの運転が必要となるタイミングを予測し、図２２の冷却制御変更後の消費電力レベル１７ｂに示したように、他の家電機器の消費電力レベルが小さい時間帯、特に単位電力あたりの電気代が安い深夜電力時間帯に、霜取運転または急冷運転を予め実施しても良い。これにより、各家電機器１０００，３００１〜３００４の消費電力が集中することを回避し、深夜電力を有効に使用することによって、電力料金の低減が図れる。
【０１８１】
ここで、図２２から図２４に示したように、各家電機器１０００，３００１〜３００４の消費電力は使用者の在否状況、すなわち使用者のスケジュール情報と密接な関係があることがわかる。よって、本実施の形態３では、操作パネル１の入力手段９にて入力された使用者のスケジュール情報と、通信手段４を介して宅内コントローラ２００４から受信した各家電機器１０００，３００１〜３００４の消費電力情報とに基づいて、制御手段３が圧縮機１００１、送風装置１００３および吹出風量制御装置の少なくとも一つを制御することで、冷蔵庫１０００以外の各家電機器３００１〜３００４の消費電力情報を考慮して、冷蔵庫１０００の節電運転を行うことができる。
【０１８２】
したがって、使用者のスケジュール情報と各家電機器１０００，３００１〜３００４の消費電力情報を照らし合わせることにより、例えば急な予定変更、操作パネル１の入力手段９におけるスケジュール入力ミス、または、スケジュール情報だけでは判断できない生活パターンを消費電力情報から検出することにより、さらに正確に使用者のスケジュールに対応することができる。その結果、飲食物の保存品質を維持した上で、冷却過剰および冷却不足のない最適な冷却制御を実施することが可能となる。上述したスケジュール情報だけでは判断できない生活パターンとは、例えば、使用者が在宅予定だが弁当または宅配食などを利用することで調理用家電機器を使用しない状況などである。また、住宅全体の各家電機器１０００，３００１〜３００４の消費電力が高い場合にも、冷蔵庫１０００の節電運転を実施できるため、冷蔵庫１０００の節電効果だけではなく、住宅全体で節電効果が得られることになる。
【０１８３】
図２１では、操作パネル１の入力手段９にて入力された使用者のスケジュール情報と、通信手段４を介して宅内コントローラ２００４から受信した、各家電機器１０００，３００１〜３００４の消費電力情報とに基づいて、制御手段３が制御変更指示内容を判定して、圧縮機１００１、送風装置１００３および吹出風量制御装置の少なくとも一つを制御する構成となっているが、宅内コントローラ２００４に記憶手段２および制御手段３の一部の機能を持たせ、宅内コントローラ２００４が使用者のスケジュール情報、各家電機器１０００，３００１〜３００４の消費電力および運転情報を一括管理し、制御手段３に送信する制御変更指示内容を判定してもよい。
【０１８４】
使用者のスケジュール情報を宅内コントローラ２００４にて一括管理することにより、他の家電機器の制御にも使用者のスケジュール情報を反映することが可能となるとともに、冷蔵庫１０００単体としても制御装置１００４の構成が簡略化できる。すなわち、宅内コントローラ２００４と冷蔵庫１０００の通信手段４とは、冷蔵庫１０００を制御する際の制御変更指示内容のみを通信すれば良く、定期的もしくは要求時に各家電機器１０００，３００１〜３００４の消費電力情報を通信しなくても良くなるため、通信手段４における通信負荷が低減できるという効果が得られる。また、通信負荷が低減されることにより、通信障害の低減にもつながることになる。
【０１８５】
また、図２１に示した操作パネル１の表示手段１０には、各貯蔵室の温度情報、入力された使用者のスケジュール情報、および実施の形態１または実施の形態２と同様に使用者のスケジュール情報に基づいて変更された制御内容を表示することが可能である。さらに、通信手段４を介して受信した、宅内コントローラ２００４において保管されている、系統電源２００１の供給電力、各家電機器１０００，３００１〜３００４の消費電力情報、各家電機器３００１〜３００４の予測消費電力情報および冷蔵庫１０００の消費電力情報を併せて表示手段１０に表示することができる。
【０１８６】
上記のようにして、使用者のスケジュール情報に加え、電力の需給状況およびそれに対応した制御内容を表示することにより、使用者が自動制御内容を確認できるだけでなく、使用者に節電行動を啓蒙することが可能になるという効果が得られる。さらに、操作パネル１または宅内コントローラ２００４をタブレット端末とし、このタブレット端末に入力手段９および表示手段１０を設け、通信手段４を介して無線で通信可能とすることにより、使用者は遠距離から冷蔵庫１０００の運転情報、および異常状態を確認でき、また予定変更があった際に、遠距離から即座にスケジュールを修正できるという効果が得られる。
【０１８７】
また、図２０では、電力計測端子２００３によって、各家電機器１０００，３００１〜３００４に供給されている電流を測定し、電力計測装置２００２において、各家電機器１０００，３００１〜３００４の消費電力および系統電源２００１の供給電力を算出しているが、各家電機器１０００，３００１〜３００４に消費電力測定機能を搭載し、各家電機器１０００，３００１〜３００４から直接通信手段４を介して、宅内コントローラ２００４に消費電力情報を直接送信してもよい。これにより、電力計測装置２００２および電力計測端子２００３は不要となるため、宅内システム２０００は簡略化し、低コストで構築できるという効果が得られる。
【０１８８】
以上のことより、本実施の形態３では、宅内システム２０００の宅内コントローラ２００４によって、住宅内の各家電機器１０００，３００１〜３００４の消費電力情報を取得することができ、この各家電機器１０００，３００１〜３００４の消費電力が供給電力に逼迫する場合でも、冷蔵庫１０００を効果的な節電を行えるような制御ができるため、節電効果を得るとともに、住宅内のピーク電力削減に貢献することができる。なお、実施の形態１および実施の形態２にて奏する効果は、本実施の形態３においても、同様に奏することは明らかである。
【０１８９】
また、本発明の実施の形態１から３においては、それぞれが個別に構成されているものではなく、それぞれの構成は組み合わせて実施できるものである。なお、効果においても、実施の形態１から３を組み合わせた際には、組み合わせた効果を奏することができる。
【符号の説明】
【０１９０】
１  操作パネル、２  記憶手段、３  制御手段、４  通信手段、５  貯蔵室内温度検出装置、６  貯蔵室内圧力検出装置、７  冷却負荷推定手段、８  扉開閉検出手段、９  入力手段、１０  表示手段、１１ａ  使用者全員の予定ありマーク、１１ｂ  父（太郎）の予定ありマーク、１１ｃ  母（花子）の予定ありマーク、１１ｄ  長女（和美）の予定ありマーク、１１ｅ  長男（一夫）の予定ありマーク、１２ａ  旅行予定マーク、１２ｂ  出張予定マーク、１２ｃ  ゴルフ予定マーク、１２ｄ  外食予定マーク、１２ｅ  水泳（習い事）予定マーク、１２ｆ  ピアノ（習い事）予定マーク、１２ｇ  サッカー（習い事）予定マーク、１３  現在時刻マーク、１４ａ  出張（不定期な予定）による外出時間帯マーク、１４ｂ  外食（不定期な予定）による外出時間帯マーク、１５ａ  仕事（定期的な予定）による外出時間帯マーク、１５ｂ  学校（定期的な予定）による外出時間帯マーク、１６  睡眠時間帯マーク、１７ａ  通常運転時の消費電力レベルの履歴、１７ｂ  冷却制御変更後の消費電力レベルの履歴、２１  冷蔵庫全体の消費電力、２２ａ  冷蔵室の棚の最上段の平均温度、２２ｂ  冷蔵室の棚の２段目の平均温度、２２ｃ  冷蔵室の棚の３段目の平均温度、２２ｄ  冷蔵室の棚の最下段の平均温度、２３ａ  冷蔵室の扉棚の上段の平均温度、２３ｂ  冷蔵室の扉棚の中段の平均温度、２３ｃ  冷蔵室の扉棚の下段の平均温度、２４  冷蔵室の内外差圧、２５  報知手段、１００  冷蔵室、１０１  冷蔵室戻り風路、１０２  冷蔵室ダンパ、１１０  チルド室、１１１  チルドケース、２００  製氷室、３００  切替室、４００  冷凍室、５００  野菜室、５０１  野菜室戻り風路、１０００  冷蔵庫、１００１  圧縮機、１００２  冷却器、１００３  送風装置、１００４  制御装置、１０１０  冷却風路、１０２０  戻り風路、２０００  宅内システム、２００１  系統電源、２００２  電力計測装置、２００３  電力計測端子、２００４  宅内コントローラ、３００１  ルームエアコン、３００２  給湯器、３００３  ＩＨクッキングヒータ、３００４  電子レンジ
【図１】
2015063855.tif 000003
【図２】
2015063855.tif 000004
【図３】
2015063855.tif 000005
【図４】
2015063855.tif 000006
【図５】
2015063855.tif 000007
【図６】
2015063855.tif 000008
【図７】
2015063855.tif 000009
【図８】
2015063855.tif 000010
【図９】
2015063855.tif 000011
【図１０】
2015063855.tif 000012
【図１１】
2015063855.tif 000013
【図１２】
2015063855.tif 000014
【図１３】
2015063855.tif 000015
【図１４】
2015063855.tif 000016
【図１５】
2015063855.tif 000017
【図１６】
2015063855.tif 000018
【図１７】
2015063855.tif 000019
【図１８】
2015063855.tif 000020
【図１９】
2015063855.tif 000021
【図２０】
2015063855.tif 000022
【図２１】
2015063855.tif 000023
【図２２】
2015063855.tif 000024
【図２３】
2015063855.tif 000025
【図２４】
2015063855.tif 000026
【図２５】
2015063855.tif 000027
【図２６】
2015063855.tif 000028
【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
貯蔵室を有する本体と、
圧縮機と冷却器とを有する冷凍サイクル装置と、
前記冷却器によって冷却された冷却空気を前記貯蔵室に送風する送風装置と、
前記貯蔵室に吹出される前記冷却空気の吹出風量を制御する吹出風量制御装置と、
使用者のスケジュールに関する情報であるスケジュール情報が入力される入力手段と、
前記入力手段に入力された前記スケジュール情報を記憶する記憶手段と、
前記スケジュール情報に基づき、前記圧縮機、前記送風装置および前記吹出風量制御装置の少なくとも一つを制御する制御手段と、
を備え、
前記スケジュール情報は、使用者の定期的な外出の予定の時間帯である定期外出時間帯に関する情報と、使用者の不定期な外出の予定の時間帯である不定期外出時間帯に関する情報との一方または両方を含む冷蔵庫。
【請求項２】
前記スケジュール情報は、使用者の生活パターンに関する情報、および、使用者が飲食物を購入する予定に関する情報の少なくとも一つを含む請求項１に記載の冷蔵庫。
【請求項３】
前記貯蔵室の扉の開閉を検出する手段を備え、
前記スケジュール情報は、前記定期外出時間帯に関する情報と、使用者の睡眠の予定の時間帯である睡眠時間帯に関する情報との一方または両方を含み、
前記制御手段は、前記定期外出時間帯と前記睡眠時間帯との一方または両方において、前記扉の閉状態の持続時間が予め設定された時間に達した場合に、前記貯蔵室の冷却を通常運転時に比べて抑制するように前記圧縮機、前記送風装置および前記吹出風量制御装置の少なくとも一つを制御する請求項１または請求項２に記載の冷蔵庫。
【請求項４】
前記貯蔵室の扉の開閉を検出する手段を備え、
前記スケジュール情報は、前記不定期外出時間帯に関する情報を含み、
前記制御手段は、前記不定期外出時間帯において、前記貯蔵室の冷却を通常運転時に比べて促進するように前記圧縮機、前記送風装置および前記吹出風量制御装置の少なくとも一つを制御する冷却促進制御を行い、前記冷却促進制御により前記貯蔵室の室内温度が予め設定された温度まで低下した時点からの、前記扉の閉状態の持続時間が予め設定された時間に達した場合に、前記貯蔵室の冷却を前記通常運転時に比べて抑制するように前記圧縮機、前記送風装置および前記吹出風量制御装置の少なくとも一つを制御する請求項１または請求項２に記載の冷蔵庫。
【請求項５】
前記貯蔵室の扉の開閉を検出する手段を備え、
前記スケジュール情報は、前記不定期外出時間帯に関する情報を含み、
前記制御手段は、前記不定期外出時間帯において、前記貯蔵室の冷却を通常運転時に比べて促進するように前記圧縮機、前記送風装置および前記吹出風量制御装置の少なくとも一つを制御する冷却促進制御を行い、前記冷却促進制御の開始時点からの、前記扉の閉状態の持続時間が予め設定された時間に達した場合に、前記貯蔵室の冷却を前記通常運転時に比べて抑制するように前記圧縮機、前記送風装置および前記吹出風量制御装置の少なくとも一つを制御する請求項１または請求項２に記載の冷蔵庫。
【請求項６】
前記貯蔵室の冷却負荷を推定する冷却負荷推定手段と、
前記本体に設けられ、前記貯蔵室と異なる他の貯蔵室と、
前記他の貯蔵室の冷却量を可変にする他貯蔵室冷却量可変手段と、
を備え、
前記制御手段は、通常運転時に比べて冷却を抑制する制御を前記スケジュール情報に基づいて行うときに、前記冷却負荷推定手段により推定された冷却負荷が予め設定された判定値に比べて小さい場合には前記貯蔵室の冷却を前記通常運転時に比べて抑制するように前記圧縮機、前記送風装置および前記吹出風量制御装置の少なくとも一つを制御し、前記冷却負荷推定手段により推定された冷却負荷が前記判定値に比べて大きい場合には前記他の貯蔵室の冷却を前記通常運転時に比べて抑制するように前記他貯蔵室冷却量可変手段を制御する請求項１から請求項５のいずれか一項に記載の冷蔵庫。
【請求項７】
前記貯蔵室の冷却負荷を推定する冷却負荷推定手段を備え、
前記制御手段は、前記スケジュール情報に基づいて前記貯蔵室の冷却を通常運転時に比べて抑制するように前記圧縮機、前記送風装置および前記吹出風量制御装置の少なくとも一つを制御するときに、前記冷却負荷推定手段により推定された冷却負荷が予め設定された判定値に比べて小さい場合には、前記冷却負荷推定手段により推定された冷却負荷が前記判定値に比べて大きい場合に比べて、前記貯蔵室の冷却をさらに抑制する高抑制制御を行う請求項１から請求項５のいずれか一項に記載の冷蔵庫。
【請求項８】
前記冷却負荷推定手段は、前記貯蔵室の室内温度に関する情報、前記貯蔵室に収納された物品の体積に関する情報、および、前記貯蔵室の扉の開閉に関する情報のうちの少なくとも一つに基づいて前記貯蔵室の冷却負荷を推定する請求項６または請求項７に記載の冷蔵庫。
【請求項９】
情報を表示する表示手段を備え、
前記表示手段は、前記スケジュール情報、前記冷凍サイクル装置の負荷情報、前記貯蔵室の設定温度、前記冷蔵庫の節電情報、および、前記貯蔵室の冷却負荷の情報の少なくとも一つの情報を表示する請求項６から請求項８のいずれか一項に記載の冷蔵庫。
【請求項１０】
前記制御手段は、前記貯蔵室の室内温度に関する情報の履歴、前記貯蔵室に収納された物品の体積に関する情報の履歴、および、前記貯蔵室の扉の開閉に関する情報の履歴のうちの少なくとも一つに基づいて、前記記憶手段に記憶された前記スケジュール情報を更新する請求項１から請求項９のいずれか一項に記載の冷蔵庫。
【請求項１１】
前記入力手段と、前記冷蔵庫の前記本体とが別体として設けられた請求項１から請求項１０のいずれか一項に記載の冷蔵庫と、
前記入力手段に入力された前記スケジュール情報を無線通信で前記冷蔵庫の前記記憶手段へ送信する手段と、
を備える冷蔵庫管理システム。
【請求項１２】
請求項１から請求項１０のいずれか一項に記載の冷蔵庫と、
前記冷蔵庫が設置される住宅で用いられる電気機器の消費電力の情報を前記冷蔵庫の前記制御手段へ送信する手段と、
を備え、
前記制御手段は、前記消費電力の値が予め設定された値より高い場合には、前記貯蔵室の冷却を抑制するように前記圧縮機、前記送風装置および前記吹出風量制御装置の少なくとも一つを制御する冷蔵庫管理システム。
【請求項１３】
前記制御手段は、前記消費電力の情報に基づいて将来の消費電力を予測し、その予測された消費電力の値が予め設定された値より高い時間帯では前記貯蔵室の冷却を抑制するように前記圧縮機、前記送風装置および前記吹出風量制御装置の少なくとも一つを制御する請求項１２に記載の冷蔵庫管理システム。
【請求項１４】
前記冷蔵庫の前記本体とは別体として設けられ、情報を表示する表示手段と、
前記消費電力の情報を前記制御手段から前記表示手段へ有線または無線の通信で送信する手段と、
を備え、
前記表示手段は、前記消費電力の情報を表示する請求項１２または請求項１３のいずれかに記載の冷蔵庫管理システム。
【請求項１５】
貯蔵室を有する本体と、圧縮機と冷却器とを有する冷凍サイクル装置と、前記冷却器によって冷却された冷却空気を前記貯蔵室に送風する送風装置と、前記貯蔵室に吹出される前記冷却空気の吹出風量を制御する吹出風量制御装置と、使用者のスケジュール情報が入力される入力手段とを備える冷蔵庫を制御する方法であって、
前記入力手段に使用者のスケジュール情報が入力されるステップと、
前記入力手段に入力された前記スケジュール情報を記憶するステップと、
前記スケジュール情報に基づき前記圧縮機、前記送風装置および前記吹出風量制御装置の少なくとも一つを制御するステップと、
を含み、
前記スケジュール情報は、使用者の定期的な外出の予定の時間帯である定期外出時間帯に関する情報と、使用者の不定期な外出の予定の時間帯である不定期外出時間帯に関する情報との一方または両方を含む冷蔵庫制御方法。
【手続補正２】
【補正対象書類名】明細書
【補正対象項目名】０００６
【補正方法】変更
【補正の内容】
【０００６】
本発明の冷蔵庫は、貯蔵室を有する本体と、圧縮機と冷却器とを有する冷凍サイクル装置と、冷却器によって冷却された冷却空気を貯蔵室に送風する送風装置と、貯蔵室に吹出される冷却空気の吹出風量を制御する吹出風量制御装置と、使用者のスケジュールに関する情報であるスケジュール情報が入力される入力手段と、入力手段に入力されたスケジュール情報を記憶する記憶手段と、スケジュール情報に基づき、圧縮機、送風装置および吹出風量制御装置の少なくとも一つを制御する制御手段と、を備え、スケジュール情報は、使用者の定期的な外出の予定の時間帯である定期外出時間帯に関する情報と、使用者の不定期な外出の予定の時間帯である不定期外出時間帯に関する情報との一方または両方を含むものである。
また、本発明の冷蔵庫管理システムは、入力手段と、冷蔵庫の本体とが別体として設けられた上記冷蔵庫と、入力手段に入力されたスケジュール情報を無線通信で冷蔵庫の記憶手段へ送信する手段と、を備えるものである。
また、本発明の冷蔵庫管理システムは、上記冷蔵庫と、冷蔵庫が設置される住宅で用いられる電気機器の消費電力の情報を冷蔵庫の制御手段へ送信する手段と、を備え、制御手段は、消費電力の値が予め設定された値より高い場合には、貯蔵室の冷却を抑制するように圧縮機、送風装置および吹出風量制御装置の少なくとも一つを制御するものである。
また、本発明の冷蔵庫制御方法は、貯蔵室を有する本体と、圧縮機と冷却器とを有する冷凍サイクル装置と、冷却器によって冷却された冷却空気を貯蔵室に送風する送風装置と、貯蔵室に吹出される冷却空気の吹出風量を制御する吹出風量制御装置と、使用者のスケジュール情報が入力される入力手段とを備える冷蔵庫を制御する方法であって、入力手段に使用者のスケジュール情報が入力されるステップと、入力手段に入力されたスケジュール情報を記憶するステップと、スケジュール情報に基づき圧縮機、送風装置および吹出風量制御装置の少なくとも一つを制御するステップと、を含み、スケジュール情報は、使用者の定期的な外出の予定の時間帯である定期外出時間帯に関する情報と、使用者の不定期な外出の予定の時間帯である不定期外出時間帯に関する情報との一方または両方を含むものである。
【国際調査報告】
2015063855.tif 000029
2015063855.tif 000030